(57)【特許請求の範囲】
【請求項１】
ネットワークに接続された機器を携帯端末で制御するネットワークシステムにおいて、制御可能な１又は複数の機器が接続された第１のネットワークと、前記第１のネットワークに接続され、かつ公開された第２のネットワークに接続されたネットワーク接続手段と、前記第２のネットワークに接続され、前記第１のネットワークに接続された前記機器の情報を管理する機器情報管理手段と、前記機器情報を記憶する機器情報記憶手段とを備え、前記ネットワーク接続手段は、前記機器情報管理手段に、前記第２のネットワークの通信トラフィックが少ない時に一時に前記機器情報を送信することを特徴とするネットワークシステムにおいて、
前記第１のネットワークは、複数のグループを形成しており、
前記複数のグループのそれぞれに接続され、かつ公開された第２のネットワークに接続された複数のネットワーク接続手段を備え、
前記機器情報管理手段は、前記制御可能な１又は複数の機器をグループ化し、このグループ化する単位を適宜変更、修正又は追加してグループ毎に管理し、
前記機器情報記憶手段は、グループ毎に管理された一つ以上の機器の接続状況を示すグループ別接続状況データを記憶することを特徴とするネットワークシステム。
【発明の詳細な説明】
【０００１】
【発明の属する技術分野】
本発明は、ネットワークシステム及びネットワークシステムの通信方法に関し、特に、任意の携帯端末から家庭内にネットワークで接続された任意の機器を遠隔操作する場合に、家庭内のネットワークとは異なるネットワークのトラフィックの低減を図ると共に家庭内の任意の機器管理を簡易に行い、ユーザの利便性を図ったネットワークシステム、ネットワークシステムの通信方法及び通信処理プログラムを記録した記録媒体に関する。
【０００２】
【従来の技術】
近年、家庭内で複数の家電機器をケーブルで接続し、音声及び画像データの送受信を行うネットワークシステムが注目を集めている。例えば、デジタルビデオカメラで撮った映像を、ケーブルを用いてモニタに接続して見ることや、あるいはビデオに接続して画像の編集を行ったりすることがよく見られるようになった。さらに、最近ではこれらのネットワークシステムをケーブルではなく、無線で構築する動きが見られる。無線で機器間の送受信を行うことで、機器間の配線の手間が省けるという利点がある。
【０００３】
また、最近、携帯端末と家庭内のＡＶ機器を移動体通信網を含む公衆回線網で接続し、携帯端末より遠隔操作することにより家庭内のＡＶ機器の番組予約をする装置及び方法や電子番組表による番組情報の提供をするサービスなどがある。例えば、この一例としては特開２０００−６７４８８号公報に記載された通信装置及び方法並びに提供媒体がある。
この従来の技術について、図３２を用いて説明する。
【０００４】
図３２は、従来の遠隔制御システムの構成を示す図である。
図３２において、携帯端末１は、基地局３と無線通信し、移動体通信網４を介して移動体通信網４に接続されているビデオ録画予約装置７にアクセスすることができ、また、パーソナルコンピュータ（ＰＣ）２は公衆電話網５を介して公衆電話網５に接続されているビデオ録画予約装置７にアクセスすることができる。
【０００５】
ビデオ端末６は、公衆電話網５を介してビデオ録画予約装置７と接続され、遠隔制御されるように構成されている。このビデオ端末６を、任意の数だけ公衆電話網５に接続することも可能である。具体的には、図３２に示すようなビデオ端末６−２乃至ビデオ端末６−Ｎである。
【０００６】
上記遠隔制御システムの処理フローとしては、ビデオ録画予約装置７は、携帯端末１又はＰＣ２から送信されてくる番組情報提供要求に対応して、ビデオ録画予約装置７より、予め記憶している番組情報などを提供したり、ビデオ端末６に対して録画予約を行う。
同様に、ビデオ端末６−２乃至ビデオ端末６−Ｎに対して録画予約を行うことも可能である。
【０００７】
ビデオ録画予約装置７は、番組情報データベースを備え、番組情報などが記憶されている。また、ビデオ録画予約装置７は、さらにユーザ情報データベースも備え、遠隔制御システムの加入者のユーザＩＤ、電話番号、及び暗証番号などの情報が記憶されている。
【０００８】
このような遠隔制御システムによって、ユーザの操作性の向上と番組予約時の誤動作の防止を図っている。
また、ビデオ録画予約装置７のユーザ情報データベースには、ユーザ嗜好情報も記憶できるようになっており、ユーザ嗜好情報に基づいてユーザが録画を希望するであろう番組を選択し、ビデオ端末６に対して自動的に録画予約を行うことも可能である。
【０００９】
このようなシステムにすることで、サービスを提供する側においては、番組情報を提供する以外の、より変化に富んだサービスをユーザに提供することができる。
また、特開２０００−４４３４号公報には、ユーザが外出先から録画予約などの遠隔制御を行うことができるデジタル放送受信装置及びその制御方法が開示されている。さらに、前記特開２０００−４４３４号公報を分割出願した特開２０００−２１６７３７号公報が開示されている。
【００１０】
【発明が解決しようとする課題】
しかしながらこのような従来のネットワークシステムにあっては、ビデオ録画予約装置７は、ビデオ端末６−１乃至６−Ｎの予約状況や使用状況又は記録可能な時間を常に把握することができないため、携帯端末１からの予約要求があった場合に、ビデオ端末６−１乃至６−Ｎの予約状況や使用状況又は記録可能な時間をその都度、ビデオ録画予約装置７が調べる必要があるため、移動体通信網４又は公衆電話網５のトラフィックが多くなる。また、ビデオ録画予約装置７が、各家庭毎の各機器の状態又は機器情報を常に把握することができず、各家庭毎の各機器の状態又は機器情報や番組情報を携帯端末の小さいディスプレイに表示することは、考慮されていないという課題があった。
【００１１】
さらに、複数のユーザからの複数の携帯端末を使った各種アクセス履歴をビデオ録画予約装置７の管理者が有効利用する方法についても考慮されておらず、公衆電話網に接続されているビデオ端末６−１乃至ビデオ端末６−Ｎに機能のバージョンアップが将来あった場合に、これに対応しバージョンアップする方法についても考慮されていないという課題があった。
【００１２】
本発明は、このような課題に鑑みてなされたものであって、第１のネットワークに接続された第２のネットワークのトラフィックを低減することができ、第１のネットワークに接続された機器の管理が容易になるネットワークシステム、ネットワークシステムの通信方法及び通信処理プログラムを記録した記録媒体を提供することを目的としている。
また、本発明は、第１のネットワークに接続された機器の機器情報を、携帯端末を持ったユーザが把握するとともに、遠隔操作することができ、ユーザの利便性を向上させることができるネットワークシステム、ネットワークシステムの通信方法及び通信処理プログラムを記録した記録媒体を提供することを目的としている。
【００１３】
【課題を解決するための手段】
本発明のネットワークシステムは、ネットワークに接続された機器を携帯端末で制御するネットワークシステムにおいて、制御可能な１又は複数の機器が接続された第１のネットワークと、前記第１のネットワークに接続され、かつ公開された第２のネットワークに接続されたネットワーク接続手段と、前記第２のネットワークに接続され、前記第１のネットワークに接続された前記機器の情報を管理する機器情報管理手段と、前記機器情報を記憶する機器情報記憶手段とを備えることを特徴としている。
また、より好ましくは、前記機器情報記憶手段は、前記制御可能な１又は複数の機器の接続状況を示す接続状況データを記憶するものであってもよい。
【００１４】
また、本発明のネットワークシステムは、制御可能な１又は複数の機器が接続され複数のグループ化された第１のネットワークと、前記複数のグループ化された第１のネットワークに接続され、かつ公開された第２のネットワークに接続された複数のネットワーク接続手段とを備え、前記機器情報管理手段は、前記制御可能な１又は複数の機器を複数のグループとして管理し、前記機器情報記憶手段は、グループ毎に管理された一つ以上の機器の接続状況を示すグループ別接続状況データを記憶するものであってもよい。
【００１５】
本発明のネットワークシステムは、ネットワークに接続された機器を携帯端末で制御するネットワークシステムにおいて、制御可能な１又は複数の機器が接続された第１のネットワークと、前記第１のネットワークに接続され、かつ公開された第２のネットワークに接続されたネットワーク接続手段と、前記第２のネットワークに接続され、前記携帯端末からのアクセス履歴の情報を管理する履歴情報管理手段と、前記アクセス履歴の情報を記憶する履歴情報記憶手段とを備え、情報毎のアクセス履歴を算出することを特徴としている。例えば、携帯端末又は任意の携帯端末から履歴情報管理手段にアクセスのあった履歴の情報（例えば番組予約）からアクセス履歴情報のデータベースを構築し、履歴情報記憶手段に蓄積するものである。
また、より好ましくは、前記履歴情報記憶手段は、前記アクセス履歴として、利用者の個人情報を記憶するものであってもよい。
【００１６】
本発明のネットワークシステムは、ネットワークに接続された機器を携帯端末で制御するネットワークシステムにおいて、制御可能な１又は複数の機器が接続された第１のネットワークと、前記第１のネットワークに接続され、かつ公開された第２のネットワークに接続されたネットワーク接続手段と、前記第２のネットワークに接続され、前記制御可能な１又は複数の機器に搭載されたプログラムのバージョン情報を管理するバージョン情報管理手段と、前記バージョン情報を記憶するバージョン情報記憶手段とを備えることを特徴としている。
【００１７】
さらに、前記バージョン情報記憶手段は、前記機器に搭載されるプログラムの最新バージョンを記憶しており、前記携帯端末から前記バージョン情報管理手段に対し、前記機器に搭載されたプログラムの変更が指示されると、前記バージョン情報管理手段は、前記指示された機器に対応するプログラムを、前記バージョン情報記憶手段から読み出して該当する機器にダウンロードして機器のプログラムを変更するものであってもよい。
【００１８】
また、より好ましくは、前記バージョン情報記憶手段は、前記制御可能な１又は複数の機器に搭載されたプログラムのバージョン情報をグループ情報として記憶するものであってもよく、また、前記バージョン情報記憶手段は、前記制御可能な１又は複数の機器に搭載されたプログラムのバージョン情報を機器の種別毎に記憶するものであってもよい。
【００１９】
本発明のネットワークシステムの通信方法は、ネットワークに接続された機器を携帯端末で制御するネットワークシステムの通信方法において、第１のネットワークに接続された制御可能な１又は複数の機器の機器情報を第２のネットワークに接続された機器情報管理手段に通知するステップと、前記携帯端末から前記機器情報管理手段に、前記第１のネットワークに接続された前記機器の機器情報を機器の情報要求として通知するステップと、前記機器情報管理手段から前記携帯端末に、前記第１のネットワークに接続された前記機器の機器情報を情報通知として通知するステップとを有することを特徴としている。
【００２０】
また、本発明のネットワークシステムの通信方法は、前記携帯端末から前記機器情報管理手段に、前記第１のネットワークに接続された制御可能な１又は複数の機器への指示を要求するステップと、前記機器情報管理手段から前記第１のネットワークに接続された制御可能な１又は複数の機器への指示を要求するステップと、前記第１のネットワークに接続された制御可能な１又は複数の機器から前記機器情報管理手段に指示の受付を通知するステップとを有することを特徴としている。
【００２１】
本発明のネットワークシステムの通信方法は、ネットワークに接続された機器を携帯端末で制御するネットワークシステムの通信方法において、前記携帯端末から第１のネットワークに接続された制御可能な１又は複数の機器に搭載されたプログラムのバージョン情報を管理するバージョン情報管理手段に要求情報を通知するステップと、前記バージョン情報管理手段から前記携帯端末に、前記第１のネットワークに接続された前記機器に搭載されたプログラムのバージョン情報を情報要求として通知するステップとを有することを特徴としている。
【００２２】
さらに、本発明は、コンピュータを、ネットワークに接続された機器を携帯端末で制御するネットワークシステムにおいて、制御可能な１又は複数の機器が接続された第１のネットワークと、前記第１のネットワークに接続され、かつ公開された第２のネットワークに接続されたネットワーク接続手段と、前記第２のネットワークに接続され、前記第１のネットワークに接続された前記機器の情報を管理する機器情報管理手段と、前記機器情報を記憶する機器情報記憶手段とを備えるネットワークシステムをコンピュータに実行させるためのプログラムを記録したことを特徴とするコンピュータ読み取り可能な記録媒体である。
【００２３】
また、本発明は、コンピュータを、ネットワークに接続された機器を携帯端末で制御するネットワークシステムにおいて、制御可能な１又は複数の機器が接続された第１のネットワークと、前記第１のネットワークに接続され、かつ公開された第２のネットワークに接続されたネットワーク接続手段と、前記第２のネットワークに接続され、前記携帯端末からのアクセス履歴の情報を管理する履歴情報管理手段と、前記アクセス履歴の情報を記憶する履歴情報記憶手段とを備え、情報毎のアクセス履歴を算出するネットワークシステムをコンピュータに実行させるためのプログラムを記録したことを特徴とするコンピュータ読み取り可能な記録媒体である。
【００２４】
また、本発明は、コンピュータを、ネットワークに接続された機器を携帯端末で制御するネットワークシステムにおいて、制御可能な１又は複数の機器が接続された第１のネットワークと、前記第１のネットワークに接続され、かつ公開された第２のネットワークに接続されたネットワーク接続手段と、前記第２のネットワークに接続され、前記制御可能な１又は複数の機器に搭載されたプログラムのバージョン情報を管理するバージョン情報管理手段と、前記バージョン情報を記憶するバージョン情報記憶手段とを備えるネットワークシステムをコンピュータに実行させるためのプログラムを記録したことを特徴とするコンピュータ読み取り可能な記録媒体である。
【００２５】
【発明の実施の形態】
以下、添付図面を参照しながら本発明の好適なネットワークシステム及びそのの通信方法の実施の形態について詳細に説明する。
【００２６】
第１の実施の形態
図１は、本発明の第１の実施の形態のネットワークシステムの構成を示す図である。本ネットワークシステムとして、ホームネットワークシステムと携帯端末としてＰＤＡ（Personal Digital Assistant）等の携帯情報端末に適用した例である。
【００２７】
図１において、第１の実施の形態のネットワークシステム（以下、第１のネットワークシステムという）は、ホームネットワーク１１１に接続された機器Ａ１０７，機器Ｂ１０８，機器Ｃ１０９及び機器Ｄ１１０を携帯端末１００，１０２で制御するネットワークシステムであり、制御可能な一つ以上の機器が接続されたホームネットワーク１１１（第１のネットワーク）と、ホームネットワーク１１１に接続されかつ公開されたネットワーク１０４（第２のネットワーク）に接続されたネットワーク接続装置１１２（ネットワーク接続手段）と、ネットワーク１０４に接続され、ホームネットワーク１１１に接続された機器Ａ１０７，機器Ｂ１０８，機器Ｃ１０９及び機器Ｄ１１０の情報を管理するための機器情報管理装置１０５（機器情報管理手段）と、機器Ａ１０７，機器Ｂ１０８，機器Ｃ１０９及び機器Ｄ１１０の機器情報を記憶するための機器情報記憶装置１０６（機器情報記憶手段）とを備えて構成される。
【００２８】
携帯端末１００は、携帯電話や携帯情報端末（以下、ＰＤＡという）などの携帯端末であり、基地局１０１は、携帯端末１００からの電波をアンテナを経由して送受信する基地局である。
携帯端末１０２は、携帯端末１００と同等な携帯電話やＰＤＡなどの携帯端末であり、基地局１０３は、基地局１０１と同等な携帯端末１０２からの電波をアンテナを経由して送受信する基地局である。
【００２９】
第１のネットワークシステムでは、２つの携帯端末１００，１０２と２つの基地局１０１，１０３を図示しているが、この他に任意の数の携帯端末と基地局で構成することも可能であり、また、１つの基地局１０１又は基地局１０２に任意の数の携帯端末を備えるシステムを構成することも可能である。
【００３０】
ネットワーク１０４は、移動体通信網、公衆電話網、ＬＡＮやインターネットなどから構成するネットワークであり、有線系又は無線系などネットワークの種類とプロトコルの種類は特に問わない。また、ネットワーク１０４のアクセス回線としてはＦＴＴＨ（Fiber To The Home）、ＨＦＣ（Hybrid Fiber Coax：光同軸ケーブル）、及びＡＤＳＬ（Asymmetric Digital Subscriber Line）等の大容量回線が利用可能である。
【００３１】
機器情報管理装置１０５は、ネットワーク１０４に接続され、後述する各々のホーム内の各種機器情報を管理する。
機器情報記憶装置１０６は、機器情報管理装置１０５に接続され、後述する各々のホーム内の各種機器情報を記憶する。
機器Ａ１０７は、表示装置、記憶装置、放送波受信機などのＡＶ機器や冷蔵庫、洗濯機、エアコンなどの白物機器などから構成する機器であり、同様に、機器Ｂ１０８，Ｃ１０９，Ｄ１１０は、表示装置、記憶装置、放送波受信機などのＡＶ機器や冷蔵庫、洗濯機、エアコンなどの白物機器などからなる機器である。
【００３２】
なお、機器Ａ１０７，機器Ｂ１０８，機器Ｃ１０９及び機器Ｄ１１０の種類は、ＡＶ機器や白物機器に限らず通信機器又は情報機器などでもよく、特に種類は問わない。また、機器Ａ１０７，機器Ｂ１０８，機器Ｃ１０９及び機器Ｄ１１０以外の任意の機器を各々のホーム内に接続する構成でも構わないし、機器Ａ１０７，機器Ｂ１０８，機器Ｃ１０９及び機器Ｄ１１０の一部の機器を各々のホーム内に接続する構成でも構わない。
【００３３】
ホームネットワーク１１１は、機器Ａ１０７，機器Ｂ１０８，機器Ｃ１０９及び機器Ｄ１１０を通信回線で接続するホームネットワークであり、ホームネットワーク１１１の種類は、ＩＥＥＥ（Institute of Electrical and Electronics Engineers）１３９４−１９９５、ＩＥＥＥ１３９４ａ−２０００、ＩＥＥＥ１３９４ｂやＵＳＢ（Universal Serial Bus）のバージョン１．１や２．０等でもよく、有線系又は無線系などネットワークの種類とプロトコルの種類は特に問わない。
【００３４】
ネットワーク接続装置１１２は、ネットワーク１０４とホームネットワーク１１１を接続又はネットワーク１０４とホームネットワーク１１１のネットワークのプロトコルを変換する。
ホームＡ１１３は、機器Ａ１０７，機器Ｂ１０８，機器Ｃ１０９及び機器Ｄ１１０とネットワーク接続装置１１２から構成され、家庭内の全ての機器とホームネットワーク１１１を示す。
【００３５】
ホームＢ１１４は、ホームＡ１１３と同様に、機器Ａ１０７，機器Ｂ１０８，機器Ｃ１０９及び機器Ｄ１１０とネットワーク接続装置１１２から構成され、家庭内の全ての機器とホームネットワーク１１１を示す。
ホームＣ１１５は、ホームＡ１１３と同様に、機器Ａ１０７，機器Ｂ１０８，機器Ｃ１０９及び機器Ｄ１１０とネットワーク接続装置１１２から構成され、家庭内の全ての機器とホームネットワーク１１１を示す。
グループａ１１６は、上記ホームＡ１１３、ホームＢ１１４及びホームＣ１１５から構成され、１つのグループとして機器情報管理装置１０５が各ホームＡからホームＣの各機器情報を管理する単位である。
【００３６】
一方、ホームＤ１１７は、ホームＡ１１３と同様な構成であり、機器Ａ１０７，機器Ｂ１０８，機器Ｃ１０９及び機器Ｄ１１０とネットワーク接続装置１１２から構成し、家庭内の全ての機器とホームネットワーク１１１を示す。
ホームＥ１１８は、ホームＡ１１３と同様に、機器Ａ１０７，機器Ｂ１０８，機器Ｃ１０９及び機器Ｄ１１０とネットワーク接続装置１１２から構成され、家庭内の全ての機器とホームネットワーク１１１を示す。
【００３７】
ホームＦ１１９は、ホームＡ１１３と同様に、機器Ａ１０７，機器Ｂ１０８，機器Ｃ１０９及び機器Ｄ１１０とネットワーク接続装置１１２から構成され、家庭内の全ての機器とホームネットワーク１１１を示す。
ホームＧ１２０は、ホームＡ１１３と同様に、機器Ａ１０７，機器Ｂ１０８，機器Ｃ１０９及び機器Ｄ１１０とネットワーク接続装置１１２から構成され、家庭内の全ての機器とホームネットワーク１１１を示す。
【００３８】
グループｂ１２１は、上記ホームＤ１１７、ホームＥ１１８、ホームＦ１１９及びホームＧ１２０から構成され、１つのグループとして機器情報管理装置１０５が各ホームＤからホームＧの各機器情報を管理する単位である。
【００３９】
第１の実施の形態では、グループａ１１６をホームＡ１１３、ホームＢ１１４及びホームＣ１１５から構成し、グループｂをホームＤ１１７、ホームＥ１１８、ホームＦ１１９及びホームＧ１２０から構成したが、その他のホームの組み合わせによりグループを形成してもよい。
以下、上述のように構成されたネットワークシステムの動作について詳細に説明する。
【００４０】
図２は、ネットワーク１０４に接続されている各機器間の通信シーケンスを示す図である。図中、Ｓはシーケンスの各ステップ番号を示す。
まず、ホームＡ１１３と機器情報管理装置１０５間をネットワーク１０４で通信回線を確立するために、ホームＡ１１３から機器情報管理装置１０５へ接続要求（Ｓ１００）のリクエストを出し、機器情報管理装置１０５からホームＡ１１３に接続許可（Ｓ１０１）のレスポンスを返すことで、ホームＡ１１３と機器情報管理装置１０５間のネットワーク１０４の通信回線が確立する。
【００４１】
次に、ホームＡ１１３内のホームネットワーク１１１に接続されている機器Ａ１０７（Ｓ１０）から接続許可（Ｓ１０１）で確立された通信回線を用いて機器Ａ１０７の機種、機種名、電源ＯＮ／ＯＦＦ状況や日付、チャネル番号、番組名、時間とユーザ名から構成される予約状況の機器情報（Ｓ１０２）を通知した後で、接続許可（Ｓ１０１）で確立した通信回線を切断（Ｓ１０３）する。
【００４２】
第１のネットワークシステムでは、ホームＡ１１３内のホームネットワーク１１１に接続されている機器Ａ１０７から機器情報管理装置１０５へ送信する機器情報は、機器Ａ１０７の機種、機種名、電源ＯＮ／ＯＦＦ状況や日付、チャネル番号、番組名、時間とユーザ名から構成される予約状況で説明したが、これ以外の機器情報で構成しても構わないし、上記の一部分の機器情報で構成しても構わない。
【００４３】
上記と同様に、ホームＡ１１３と機器情報管理装置１０５間をネットワーク１０４で通信回線を確立するために、ホームＡ１１３から機器情報管理装置１０５へ接続要求（Ｓ１０４）のリクエストを出し、機器情報管理装置１０５よりホームＡ１１３へ接続許可（Ｓ１０５）のレスポンスを返すことで、ホームＡ１１３と機器情報管理装置１０５間のネットワーク１０４の通信回線が確立する。
【００４４】
次に、ホームＡ１１３内のホームネットワーク１１１に接続されている機器Ｂ１０８（Ｓ１１）より接続許可（Ｓ１０５）で確立された通信回線を用いて機器Ｂ１０８の機種、機種名、電源ＯＮ／ＯＦＦ状況や日付、チャネル番号、番組名、時間とユーザ名から構成される予約状況の機器情報（Ｓ１０６）を通知した後で、接続許可（Ｓ１０５）で確立した通信回線を切断（Ｓ１０７）する。
【００４５】
第１のネットワークシステムでは、ホームＡ１１３内のホームネットワーク１１１に接続されている機器Ｂ１０８から機器情報管理装置１０５へ送信する機器情報は、機器Ｂ１０８の機種、機種名、電源ＯＮ／ＯＦＦ状況や日付、チャネル番号、番組名、時間とユーザ名から構成される予約状況で説明したが、これ以外の機器情報で構成しても構わないし、上記の一部分の機器情報で構成しても構わない。
【００４６】
また、第１のネットワークシステムでは、機器Ａ１０７又は機器Ｂ１０８より送信する機器情報Ｓ１０２又はＳ１０６は任意の周期として説明するが、ある一定の時間毎に機器情報Ｓ１０２又はＳ１０６をホームＡ１１３から機器情報管理装置１０５に送信する方法でも構わないし、機器Ａ１０７又は機器Ｂ１０８の機器情報Ｓ１０２又はＳ１０６に電源ＯＮ／ＯＦＦなど何らかの機器の状態の変化があった場合に送信する方法でも構わない。
【００４７】
また、図２の各機器間の通信シーケンスには図示していないが、送信する機器情報は、機器Ａ１０７又は機器Ｂ１０８に限らず、図１に示す機器Ｃ１０９、機器Ｄ１１０とネットワーク接続装置１１２の機器情報を機器情報管理装置１０５に適宜送信することとする。
【００４８】
また、第１のネットワークシステムでは、ホームＡ１１３に接続されている機器Ａ１０７，機器Ｂ１０８，機器Ｃ１０９及び機器Ｄ１１０とネットワーク接続装置１１２を適宜送信する方法について述べたが、ホームＡ１１３に接続されている機器のいずれかにホームＡ１１３に接続されている機器全てを管理する機器を備え、管理する機器から一括してホームＡ１１３内の機器情報を収集し、一括して収集した機器情報を機器情報管理装置１０５に適宜送信する方法でも構わない。
さらに、図示していないが、ホームＢ１１４，ホームＣ１１５，ホームＤ１１７，ホームＥ１１８，ホームＦ１１９，ホームＧ１２０の各機器情報も機器情報管理装置１０５に適宜送信することとする。
【００４９】
第１のネットワークシステムでは、上述したように予め機器Ａ１０７又は機器Ｂ１０８の機器情報を機器情報管理装置１０５に送信しておき、機器情報管理装置１０５で機器Ａ１０７又は機器Ｂ１０８の機器情報を受信後、機器情報管理装置１０５より機器情報記憶装置１０６へ機器Ａ１０７又は機器Ｂ１０８から構成する機器接続データベースを構築して送信し、機器情報記憶装置１０６に機器Ａ１０７又は機器Ｂ１０８から構成する機器接続データベースを記憶する。
【００５０】
このような構成にすることで、ネットワーク１０４のトラフィックが少ない時にホームＡ１１３内の機器Ａ１０７又は機器Ｂ１０８の機器情報を機器情報管理装置１０５に送信することが可能になるため、ネットワーク１０４のトラフィックが少なくなり、他の目的にネットワーク１０４の利用が可能になり、ネットワーク１０４のリソースを有効利用することが可能になる。
【００５１】
次に、携帯端末１００と機器情報管理装置１０５間のネットワーク１０４の通信回線を確立するために、携帯端末１００より機器情報管理装置１０５へ接続要求（Ｓ１０８）のリクエストを出し、機器情報管理装置１０５より携帯端末１００へ接続許可（Ｓ１０９）のレスポンスを返すことで、携帯端末１００と機器情報管理装置１０５間の通信回線が確立する。
【００５２】
接続許可（Ｓ１０９）で確立された通信回線を用いて屋外にいるユーザが、携帯端末１００より、基地局１０３を経てホームＡ１１３内に接続されている機器Ａ１０７又は機器Ｂ１０８の各機器の機種、機種名、電源ＯＮ／ＯＦＦ状況や日付、チャネル番号、番組名、時間とユーザ名から構成される予約状況の機器情報要求（Ｓ１１０）のリクエストを機器情報管理装置１０５に出し（Ｓ１２）、機器情報管理装置１０５より、上述したように予めホームＡ１１３内に接続されている機器Ａ１０７又は機器Ｂ１０８から構成する機器接続データベースを機器情報記憶装置１０６から読み出し、リクエストのあったホームＡ１１３内に接続されている機器Ａ１０７又は機器Ｂ１０８の各機器の機種、機種名、電源ＯＮ／ＯＦＦ状況や日付、チャネル番号、番組名、時間とユーザ名から構成される予約状況の機器接続データベースと機器情報管理装置１０５に予め記憶されている電子番組表（以下、ＥＰＧ（Electric Program Guide）という）の双方の情報をまとめて携帯端末１００に要求情報通知（Ｓ１１１）のレスポンスを返す。その後、ユーザは、携帯端末１００に送信された要求情報通知（Ｓ１１１）内容を携帯端末１００で確認し、まず、希望する番組を決めて番組予約を行い、次に、番組を予約するのに必要となる機器の予約を携帯端末１００（Ｓ１３）から、機器情報管理装置１０５に機器への指示要求（Ｓ１１２）を送信し、接続許可（Ｓ１０９）で確立した通信回線を切断（Ｓ１１３）する。
【００５３】
第１のネットワークシステムでは、要求情報通知（Ｓ１１１）の後に機器への指示要求（Ｓ１１２）のレスポンスが返ってくるまで通信回線を切断しない方法を採っているが、要求情報通知（Ｓ１１１）の後に通信回線を切断する方法でもよく、この方法では、ユーザが要求情報通知（Ｓ１１１）を携帯端末１００で確認し、ユーザが希望する番組予約と番組を予約するのに必要となる機器の予約が決定してから改めて携帯端末１００より機器情報管理装置１０５へ接続要求のリクエストを出し、機器情報管理装置１０５より携帯端末１００へ接続許可のレスポンスを返すことで、携帯端末１００と機器情報管理装置１０５間の通信回線を確立し、希望する番組予約と必要な機器の予約を携帯端末１００から、機器情報管理装置１０５に機器への指示要求（Ｓ１１２）を送信し、接続許可で確立した通信回線を切断する方法でもよい。
また、第１のネットワークシステムでは、携帯端末１００を用いて説明したが、携帯端末１０２でも同様であり、図示しない任意の携帯端末より機器情報管理装置１０５にリクエストを出す方法でも構わない。
【００５４】
第１のネットワークシステムでは、ＥＰＧは機器情報管理装置１０５に予め記憶されている構成で説明したが、ホームＡ１１３内に接続されている機器Ａ１０７又は機器Ｂ１０８が放送波受信機で放送波より受信したＥＰＧより機器情報管理装置１０５に送信する構成でも構わないし、公衆電話回線に接続されたサーバ等の他の経路から入手したＥＰＧでも構わない。
【００５５】
次に、機器情報管理装置１０５とホームＡ１１３間のネットワーク１０４の通信回線を確立するために、機器情報管理装置１０５よりホームＡ１１３へ接続要求（Ｓ１１４）のリクエストを出し、ホームＡ１１３から機器情報管理装置１０５へ接続許可（Ｓ１１５）のレスポンスを返すことで、機器情報管理装置１０５とホームＡ１１３間の通信回線が確立する。
次に、機器情報管理装置１０５よりホームＡ１１３に機器への指示要求（Ｓ１１６）のリクエストを送信し、ホームＡ１１３より機器情報管理装置１０５に指示受付を通知（Ｓ１１７）のレスポンスを返信することで、接続許可（Ｓ１１５）で確立した通信回線を切断（Ｓ１１８）する。
【００５６】
上記は、ホームＡ１１３内に接続された機器Ａ１０７又は機器Ｂ１０８の場合を例に採り説明したが、この場合に限らず、ホームＡ１１３内に接続された機器Ｃ１０９、機器Ｄ１１０とネットワーク接続装置１１２でも同様である。また、ホームＢ１１４，ホームＣ１１５，ホームＤ１１７、ホームＥ１１８、ホームＦ１１９、及びホームＧ１２０に接続されている任意の機器の場合でも同様である。
【００５７】
このような方法にすることで、ネットワーク１０４のトラフィックが少ない時に機器情報管理装置１０５からホームＡ１１３に機器への指示要求を送信することが可能になるため、ネットワーク１０４のトラフィックが少なくなり、他の目的にネットワーク１０４の利用が可能になり、ネットワーク１０４のリソースを、さらに、有効利用することが可能になる。
以上、第１のネットワークシステムにおける各機器間の通信シーケンスについて説明した。
また、各機器間の通信シーケンスのプログラムを機器情報管理装置１０５で記憶媒体に記憶し、機器情報管理装置１０５より各機器間の通信シーケンスのプログラムを再生させる構成でも実現できる。
【００５８】
第１のネットワークシステムでは、機器情報管理装置１０５で各機器間の通信シーケンスのプログラムを記憶又は再生する構成で説明したが、機器情報管理装置１０５に限らず、コンピュータなどの他の機器で記憶又は再生する構成で実現しても構わない。
また、記憶媒体は、テープ、フロッピーディスク（以下、ＦＤという）、コンパクトディスク（以下、ＣＤという）、ミニディスク（以下、ＭＤという）又はディジタルビデオディスク（以下、ＤＶＤという）、ハードディスクドライブ（ＨＤＤ）及びＭＯ（Magneto Optical）等のディスク装置など特に種類は問わない。
【００５９】
図３は、図２の各機器間の通信シーケンスの▲１▼であるホームＡ１１３内の機器Ａ１０７（Ｓ１０）から機器情報管理装置１０５へ機器情報を通知（Ｓ１０２）するまでの機器Ａ１０７内での詳細なフローチャートである。
第１のネットワークシステムでは、機器Ａ１０７が放送波受信機の場合で説明するが、特に機種は問わない。
まず、本フローチャートはスタートＳＲＡＲＴ（ステップＳ１２０）から開始し、機器情報管理装置１０５を経てネットワーク１０４の通信回線から接続許可（ステップＳ１０１）をホームＡ１１３内の機器Ａ１０７で受信した後、ホームＡ１１３内に接続されている機器Ａ１０７の電源がＯＮしているか否かを判断（ステップＳ１２１）し、ＹＥＳの場合、つまり、ホームＡ１１３内に接続されている機器Ａ１０７の電源がＯＮしている場合は、次に、ＢＳ、ＣＳ、地上波又はケーブルのいずれの放送受信機か又は複数の機種に対応する複合型の放送受信機かの機種情報を収集（ステップＳ１２３）し、次に、日付、チャネル番号、番組名、時間とユーザ名から構成される予約状況の情報を収集（ステップＳ１２４）し、上記ステップＳ１２３又はＳ１２４で収集した機器情報より機器Ａ１０７の機器情報を機器情報管理装置１０５に送信するためのまとめた情報として構築（ステップＳ１２５）し、上記ステップＳ１２５で構築した機器情報から機器Ａ１０７の機器情報を機器情報管理装置１０５に通知（ステップＳ１０２）し、上記ステップＳ１０２で機器情報管理装置１０５に通知した後でネットワーク１０４の通信回線を切断（ステップＳ１０３）し、本フローチャートを終了ＥＮＤ（ステップＳ１２６）する。
【００６０】
また、上記ステップＳ１２１でホームＡ１１３内に接続されている機器Ａ１０７の電源がＯＮしているか否かを判断し、ＮＯの場合、つまり、ホームＡ１１３内に接続されている機器Ａ１０７の電源がＯＦＦしている場合は、ホームＡ１１３内に接続されている機器Ａ１０７の電源をＯＮ（ステップＳ１２２）し、ＢＳ、ＣＳ、地上波又はケーブルのいずれの放送受信機か又は複数の機種に対応する複合型の放送受信機かの機種情報を収集（ステップＳ１２３）し、その後の処理は、上記と同じである。
【００６１】
また、図３ではホームＡ１１３内に接続されている機器Ａ１０７を用いて説明したが、ホームＡ１１３内に接続されている機器Ｂ１０８、機器Ｃ１０９、機器Ｄ１１０とネットワーク接続装置１１２でも機器Ａ１０７と同様な処理を順次行うこととする。
さらに、図示していないが、ホームＢ１１４，ホームＣ１１５，ホームＤ１１７，ホームＥ１１８，ホームＦ１１９，ホームＧ１２０に接続されている各機器の機器情報も機器情報管理装置１０５に適宜送信することとする。
【００６２】
以上、図３を用いて、図２の各機器間の通信シーケンスの▲１▼であるホームＡ１１３内の機器Ａ１０７（Ｓ１０）から機器情報管理装置１０５へ機器情報を通知（Ｓ１０２）するまでの機器Ａ１０７内での詳細なフローチャートについて説明してきたが、機器Ａ１０７内での詳細なフローチャートのプログラムを機器Ａ１０７で記憶媒体に記憶し、機器Ａ１０７より機器Ａ１０７内での詳細なフローチャートのプログラムを再生させる構成でも実現できる。
【００６３】
第１のネットワークシステムでは、機器Ａ１０７で機器Ａ１０７内での詳細なフローチャートのプログラムを記憶又は再生する構成で説明したが、機器Ａ１０７に限らず、ホームＡ１１３内に接続されている機器Ｂ１０８、機器Ｃ１０９、機器Ｄ１１０、ネットワーク接続装置１１２やコンピュータなどの他の機器で記憶又は再生する構成で実現しても構わない。また、記憶媒体は、テープ、ＦＤ、ＣＤ、ＭＤ又はＤＶＤなど特に種類は問わない。
【００６４】
図４は、図２の各機器間の通信シーケンスの▲２▼であるホームＡ１１３内に接続されている機器Ａ１０７から機器情報管理装置１０５へ機器情報を通知（Ｓ１０２）してからの機器情報管理装置１０５での詳細なフローチャートである。
第１のネットワークシステムでは、ホームＡ１１３内に接続されている機器Ａ１０７が放送波受信機の場合で説明するが、特に機種は問わない。
まず、本フローチャートはスタートＳＴＡＲＴ（ステップＳ１３０）から開始し、ホームＡ１１３内に接続されている機器Ａ１０７の機器情報を機器情報管理装置１０５に通知（ステップＳ１０２）した後、機器情報管理装置１０５でホームＡ１１３内に接続されている機器Ａ１０７の機器情報を受信（ステップＳ１３１）し、上記ステップＳ１３１でホームＡ１１３内に接続されている機器Ａ１０７の機器情報を受信した後、ネットワーク１０４の通信回線を切断（ステップＳ１０３）する。次に、機器情報管理装置１０５で受信したホームＡ１１３内に接続されている機器Ａ１０７の機器情報に、まず、予めユーザ毎に決められたユニークなホーム別の番号を付加（ステップＳ１３２）し、次に、機器情報管理装置１０５で受信したホームＡ１１３内に接続されている機器Ａ１０７の機器情報に予めユーザ毎に決められたユニークなグループ別の番号を付加（ステップＳ１３３）し、さらに、ＢＳ、ＣＳ、地上波又はケーブルのいずれの放送受信機か又は複数の機種に対応する複合型の放送受信機かの機種情報と電源がＯＮしているかＯＦＦしているかの電源ＯＮ／ＯＦＦ情報の抽出（ステップＳ１３４）を行う。次に、ホームＡ１１３内に接続されている機器Ａ１０７の日付、チャネル番号、番組名、時間とユーザ名から構成される予約状況の予約情報を抽出（ステップＳ１３５）し、次に、上記で抽出したホーム別の番号、グループ別の番号、機器の名称、電源ＯＮ／ＯＦＦ情報と予約状況よりホームＡ１１３の機器接続データベースの構築（ステップＳ１３６）を行い、機器情報管理装置１０５で構築された機器接続データベースを機器情報記憶装置１０６へ送信（ステップＳ１３７）すると共に機器情報記憶装置１０６で記憶し、本フローチャートを終了ＥＮＤ（ステップＳ１３８）する。
【００６５】
また、図４ではホームＡ１１３内に接続されている機器Ａ１０７を用いて説明したが、ホームＡ１１３内に接続されている機器Ｂ１０８、機器Ｃ１０９、機器Ｄ１１０又はネットワーク接続装置１１２でも機器Ａ１０７と同様な処理を行うこととする。
【００６６】
さらに、図示していないが、ホームＢ１１４，ホームＣ１１５，ホームＤ１１７，ホームＥ１１８，ホームＦ１１９，ホームＧ１２０に接続されている各機器の機器情報も機器情報管理装置１０５に適宜送信し、機器情報管理装置１０５では機器接続データベースをホーム別に構築し、機器情報記憶装置１０６に記憶することとする。
機器情報管理装置１０５で、ユニークなホーム別の番号とユニークなグループ別の番号を付加するのは、機器情報記憶装置１０６から呼び出す際に、ユニークな番号を付加しておくことで検索速度を向上させることが可能になる。
【００６７】
第１のネットワークシステムでは、ユニークなホーム別の番号とユニークなグループ別の番号で説明するが、ＩＤや文字など識別可能なユニークな記号や文字であれば種類は問わない。
さらに、図示していないが、ホームＢ１１４，ホームＣ１１５，ホームＤ１１７，ホームＥ１１８，ホームＦ１１９，ホームＧ１２０の場合も同様な処理を行う。
【００６８】
以上、図４を用いて、図２の各機器間の通信シーケンスの▲２▼であるホームＡ１１３内に接続されている機器Ａ１０７から機器情報管理装置１０５へ機器情報を通知（Ｓ１０２）してからの機器情報管理装置１０５での詳細なフローチャートについて説明してきたが、機器情報管理装置１０５内での詳細なフローチャートのプログラムを機器情報管理装置１０５で記憶媒体に記憶し、機器情報管理装置１０５より機器情報管理装置１０５での詳細なフローチャートのプログラムを再生させる構成でも実現できる。
【００６９】
第１のネットワークシステムでは、機器情報管理装置１０５で機器情報管理装置１０５内での詳細なフローチャートのプログラムを記憶又は再生する構成で説明したが、機器情報管理装置１０５に限らず、コンピュータなどの他の機器で記憶又は再生する構成で実現しても構わない。また、記憶媒体は、テープ、ＦＤ、ＣＤ、ＭＤ又はＤＶＤなど特に種類は問わない。
【００７０】
図５は、図２の各機器間の通信シーケンスの▲３▼である携帯端末１００からユーザ（Ｓ１２）が機器情報管理装置１０５へホームＡ１１３の機器情報を要求（Ｓ１１０）する際の機器情報管理装置１０５での詳細なフローチャートである。
まず、本フローチャートはスタートＳＴＡＲＴ（ステップＳ１４０）から開始し、屋外にいるユーザが携帯端末１００より、ホームＡ１１３内に接続されている各々の機器の機種、機種名、電源ＯＮ／ＯＦＦ状況や日付、チャネル番号、番組名、時間とユーザ名から構成される予約状況の機器情報要求（ステップＳ１１０）のリクエストを出し、携帯端末１００よりアクセスしたユーザの認証がＯＫか否かを判断（ステップＳ１４１）し、ＹＥＳの場合、つまり、ユーザの認証がＯＫの場合は、機器情報記憶装置１０６へ機器情報管理装置１０５よりホームＡ１１３に接続されている各々の機器の情報を要求（ステップＳ１４４）のリクエストを出し、機器情報記憶装置１０６より機器情報管理装置１０５へ要求された各々の機器情報を通知（ステップＳ１４５）するレスポンスを返す。次に、携帯端末１００の小さいディスプレイに表示するのに適した形式になるように機器情報を機器情報管理装置１０５で再構築（ステップＳ１４６）し、磯器情報管理装置１０５より携帯端末１００へユーザから要求のあった要求情報を通知（ステップＳ１１１）するレスポンスを返し、機器情報管理装置１０５よりリクエストのあった、ホームＡ１１３内に接続されている各々の機器の機種、機種名、電源ＯＮ／ＯＦＦ状況や日付、チャネル番号、番組名、時間とユーザ名から構成される予約状況の機器情報と機器情報管理装置１０５に予め記憶されているＥＰＧ情報の双方の情報をまとめて携帯端末１００に要求情報通知（ステップＳ１１１）のレスポンスを返した後に、本フローチャートを終了ＥＮＤ（ステップＳ１４７）する。
【００７１】
また、上記ステップＳ１４１でユーザの認証がＯＫか否かを判断し、ＮＯの場合、つまり、ユーザの認証がＮＧの場合は、リトライするか否かを携帯端末１００に表示（ステップＳ１４２）させ、ＹＥＳの場合、つまり、ユーザがリトライする場合は、ユーザの認証がＯＫか否かをもう一度判断（ステップＳ１４３）し、ＹＥＳの場合、つまり、ユーザの認証がＯＫの場合は、機器情報記憶装置１０８へ機器情報管理装置１０５よりホームＡ１１３に接続されている各々の機器の情報を要求（ステップＳ１４４）する。
【００７２】
また、ユーザがリトライするかを携帯端末に表示（ステップＳ１４２）させ、ＮＯの場合、つまり、ユーザがリトライしない場合か、又は、ユーザの認証がＯＫか否かをもう一度判断（ステップＳ１４３）し、ＮＯの場合、つまり、ユーザの認証がＮＧの場合は、要求情報拒否を携帯端末１００に通知（ステップＳ１４８）するレスポンスを返した後、本フローチャートを終了ＥＮＤ（ステップＳ１４７）する。
【００７３】
また、第１のネットワークシステムでは、携帯端末１００を用いて説明したが、携帯端末１０２でも同様な処理を行い、さらに、図示しない任意の携帯端末からの接続要求があった場合でも同様な処理を行う。
さらに、図示していないが、ホームＢ１１４，ホームＣ１１５，ホームＤ１１７，ホームＥ１１８，ホームＦ１１９，ホームＧ１２０への機器情報にリクエストがあった場合も同様な処理を行う。
【００７４】
以上、図５を用いて、図２の各機器間の通信シーケンスの▲３▼である携帯端末１００からユーザ（Ｓ１２）が機器情報管理装置１０５へホームＡ１１３の機器情報を要求（Ｓ１１０）する際の機器情報管理装置１０５での詳細なフローチャートについて説明してきたが、機器情報管理装置１０５内での詳細なフローチャートのプログラムを機器情報管理装置１０５で記憶媒体に記憶し、機器情報管理装置１０５より機器情報管理装置１０５での詳細なフローチャートのプログラムを再生させる構成でも実現できる。
【００７５】
第１のネットワークシステムでは、機器情報管理装置１０５で機器情報管理装置１０５内での詳細なフローチャートのプログラムを記憶又は再生する構成で説明したが、機器情報管理装置１０５に限らず、コンピュータなどの他の機器で記憶又は再生する構成で実現しても構わない。また、記憶媒体は、テープ、ＦＤ、ＣＤ、ＭＤ又はＤＶＤなど特に種類は問わない。
【００７６】
図６は、図２の各機器間の通信シーケンスの▲４▼である機器情報管理装置１０５から携帯端末１００へ要求情報を通知（Ｓ１１１）を受信し、機器情報管理装置１０５に機器への指示要求（Ｓ１１２）のレスポンスを携帯端末１００から返すまでの携帯端末１００での詳細なフローチャートである。
【００７７】
まず、本フローチャートはスタートＳＴＡＲＴ（ステップＳ１５０）から開始し、携帯端末１００で機器情報管理装置１０５からの要求情報通知（ステップＳ１１１）を受信し、次に、番組を録画するのに必要な全てのホームＡ１１３内の機器の電源がＯＮしているか否かを判断（ステップＳ１５１）し、ＹＥＳの場合、つまり、必要な全てのホームＡ１１３内の機器の電源がＯＮしている場合は、要求情報通知（ステップＳ１１１）された情報の中から放送波受信機の機種情報であるＢＳ、ＣＳ、地上波又はケーブルのいずれの放送受信機か又は複数の機種に対応する複合型の放送受信機かのいずれかを選択（ステップＳ１５３）する。次に、必要な全てのホームＡ１１３内の機器が他のユーザによって予約されていないかを判断（ステップＳ１５４）し、ＹＥＳの場合、つまり、ホームＡ１１３内の必要な全ての機器が他のユーザによって予約されていない場合はホームＡ１１３内に接続されている各々の機器情報と共に、要求情報通知（ステップＳ１１１）で送られてきたＥＰＧを参考にしながら希望する番組を選択し、選択した番組を予約するのに必要なホームＡ１１３内の必要な全ての機器に予約情報である日付、チャネル番号、番組名、時間とユーザ名から構成される予約状況の機器情報を送信情報として構築（ステップＳ１５５）する。上記ステップＳ１５５で構築した各々のホームＡ１１３内の必要な全ての機器情報を機器情報管理装置１０５に機器への指示要求（ステップＳ１１２）として送信し、携帯端末１００と機器情報管理装置１０５間をネットワーク１０４で通信回線を切断（ステップＳ１１３）し、本フローチャートを終了ＥＮＤ（ステップＳ１５６）する。
【００７８】
また、上記ステップＳ１５１で番組を録画するのに必要な全てのホームＡ１１３内の機器の電源がＯＮしているか否かを判断し、ＮＯの場合、つまり、ホームＡ１１３内の必要な全ての機器のうち、全てあるいはいずれかの機器の電源がＯＦＦしている場合は、電源がＯＦＦしている全てあるいはいずれかのホームＡ１１３内の機器の電源をＯＮ（ステップＳ１５２）し、通知された情報の中から放送波受信機の機種情報であるＢＳ、ＣＳ、地上波又はケーブルのいずれの放送受信機か又は複数の機種に対応する複合型の放送受信機かのいずれかを選択（ステップＳ１５３）し、以降の処理は上記と同様である。
【００７９】
さらに、必要な全ての機器が他のユーザによって予約されていないかを判断（ステップＳ１５４）し、ＮＯの場合、つまり、必要な全ての機器のいずれかが他のユーザによって予約されている場合は、代替となる放送受信機又は記録機器などの代替案をユーザに提示（ステップＳ１５７）し、番組を録画するのに必要な全てのホームＡ１１３内の機器の電源がＯＮしているか否かを判断（ステップＳ１５１）し、以降の処理は上記と同様である。
また、図６では図示していないが、ホームＢ１１４，ホームＣ１１５，ホームＤ１１７，ホームＥ１１８，ホームＦ１１９，ホームＧ１２０に接続されている機器の機器情報にリクエストがあった場合も上記と同様な処理を行う。
【００８０】
以上、図６を用いて、図２の各機器間の通信シーケンスの▲４▼である機器情報管理装置１０５から携帯端末１００へ要求情報を通知（Ｓ１１１）を受信し、機器情報管理装置１０５に機器への指示要求（Ｓ１１２）のレスポンスを携帯端末１００から返すまでの携帯端末１００での詳細なフローチャートについて説明してきたが、携帯端末１００内での詳細なフローチャートのプログラムを携帯端末１００で記憶媒体に記憶し、携帯端末１００より携帯端末１００での詳細なフローチャートのプログラムを再生させる構成でも実現できる。
【００８１】
第１のネットワークシステムでは、携帯端末１００で携帯端末１００内での詳細なフローチャートのプログラムを記憶又は再生する構成で説明したが、携帯端末１００に限らず、携帯端末１０２やコンピュータなどの他の機器で記憶又は再生する構成で実現しても構わない。また、記憶媒体は、テープ、ＦＤ、ＣＤ、ＭＤ又はＤＶＤなど特に種類は問わない。
【００８２】
図７は、図２の各機器間の通信シーケンスの▲５▼であるホームＡ１１３から機器情報管理装置１０５へ接続許可（Ｓ１１５）を受信し、ホームＡ１１３に機器への指示要求（Ｓ１１６）のレスポンスを返すまでの機器情報管理装置１０５での詳細なフローチャートである。
第１のネットワークシステムでは、機器Ａ１０７が放送波受信機の場合で説明するが、特に機種は問わない。
【００８３】
まず、本フローチャートはスタートＳＴＡＲＴ（ステップＳ１６０）から開始し、ホームＡ１１３からの機器情報管理装置１０５に接続許可（ステップＳ１１５）を受信した後、ホームＡ１１３に接続している機器Ａ１０７に機器情報管理装置１０５がアクセスしようとした時のホームＡ１１３の認証がＯＫか否かを判断（ステップＳ１６１）し、ＹＥＳの場合、つまり、ホームＡ１１３の認証がＯＫの場合は、機器情報管理装置１０５で予約情報である日付、チャネル番号、番組名、時間とユーザ名から構成される予約状況の機器情報を機器Ａ１０７に送信するための送信情報として構築（ステップＳ１６４）し、上記ステップＳ１６４で構築した送信情報をホームＡ１１３に接続されている機器Ａ１０７に機器への指示要求（ステップＳ１１６）として送信し、本フローチャートを終了ＥＮＤ（ステップＳ１５６）する。
【００８４】
また、上記ステップＳ１６１でホームＡ１１３に接続している機器Ａ１０７に機器情報管理装置１０５がアクセスしようとした時のホームＡ１１３の認証がＯＫか否かを判断し、ＮＯの場合、つまり、ホームＡの認証がＮＧの場合は、リトライするか否かをホームＡ１１３に問い合わせ（ステップＳ１６２）させ、ＹＥＳの場合、つまり、リトライする場合は、ホームＡ１１３の認証がＯＫか否かをもう一度判断（ステップＳ１６３）し、ＹＥＳの場合、つまり、ホームＡ１１３の認証がＯＫの場合は、機器情報管理装置１０５で予約情報である日付、チャネル番号、番組名、時間とユーザ名から構成される予約状況の機器情報と機器Ａ１０７に送信するための送信情報として構築（ステップＳ１６４）し、以降の処理は、上記と同様である。
【００８５】
また、リトライするか否かをホームＡ１１３に問い合わせ（ステップＳ１６２）させ、ＮＯの場合、つまり、リトライしない場合か、又は、ホームＡ１１３の認証がＯＫか否かをもう一度判断（ステップＳ１６３）し、ＮＯの場合、つまり、ホームＡ１１３の認証がＮＧの場合は、機器への指示要求拒否（ステップＳ１６６）をホームＡ１１３に接続されている機器Ａ１０７にレスポンスを返し、本フローチャートを終了ＥＮＤ（ステップＳ１６５）する。
【００８６】
また、図７ではホームＡ１１３内に接続されている機器Ａ１０７を用いて説明したが、ホームＡ１１３内に接続されている機器Ｂ１０８、機器Ｃ１０９、機器Ｄ１１０とネットワーク接続装置１１２でも機器Ａ１０７と同様な処理を行うこととする。
さらに、図示していないが、ホームＢ１１４，ホームＣ１１５，ホームＤ１１７，ホームＥ１１８，ホームＦ１１９，ホームＧ１２０に接続されている各々の機器の機器情報にリクエストがあった場合も同様な処理を行う。
【００８７】
以上、図７を用いて、図２の各機器間の通信シーケンスの▲５▼であるホームＡ１１３から機器情報管理装置１０５へ接続許可（Ｓ１１５）を受信し、ホームＡ１１３に機器への指示要求（Ｓ１１６）のレスポンスを返すまでの機器情報管理装置１０５での詳細なフローチャートについて説明してきたが、機器情報管理装置１０５内での詳細なフローチャートのプログラムを機器情報管理装置１０５で記憶媒体に記憶し、機器情報管理装置１０５より機器情報管理装置１０５での詳細なフローチャートのプログラムを再生させる構成でも実現できる。
【００８８】
第１のネットワークシステムでは、機器情報管理装置１０５で機器情報管理装置１０５内での詳細なフローチャートのプログラムを記憶又は再生する構成で説明したが、機器情報管理装置１０５に限らず、コンピュータなどの他の機器で記憶又は再生する構成で実現しても構わない。また、記憶媒体は、テープ、ＦＤ、ＣＤ、ＭＤ又はＤＶＤなど特に種類は問わない。
【００８９】
図８は、図２の各機器間の通信シーケンスの▲６▼である機器情報管理装置１０５からホームＡ１１３に接続されている機器Ａ１０７へ機器への指示要求（Ｓ１１６）を受信し、機器情報管理装置１０５に指示受付を通知（Ｓ１１７）レスポンスを返すまでのホームＡ１１３に接続されている機器Ａ１０７での詳細なフローチャートである。
【００９０】
第１のネットワークシステムでは、機器Ａ１０７が放送波受信機の場合で説明するが、特に機種は問わない。
まず、本フローチャートはスタートＳＴＡＲＴ（ステップＳ１７０）から開始し、機器情報管理装置１０５よりホームＡ１１３に接続されている機器Ａ１０７に機器への指示要求（ステップＳ１１６）を送信し、ホームＡ１１３に接続されている機器Ａ１０７で機器情報管理装置１０５からの指示要求を受信（ステップＳ１７１）し、ホームＡ１１３に接続されている機器Ａ１０７への制御コマンドを発行（ステップＳ１７２）し、ホームＡ１１３に接続されている機器Ａ１０７が制御コマンドを受け付けたか否かを判断（ステップＳ１７３）し、ＹＥＳの場合、つまり、ホームＡ１１３に接続されている機器Ａ１０７が制御コマンドを受け付けた場合は、ホームＡ１１３に接続されている機器Ａ１０７より機器情報管理装置１０５に指示受付を通知（ステップＳ１１７）を返信し、接続許可（ステップＳ１１５）で確立したネットワーク１０４の通信回線を切断（ステップＳ１１８）し、本フローチャートを終了ＥＮＤ（ステップＳ１７６）する。
【００９１】
また、上記ステップＳ１７３でホームＡ１１３に接続されている機器Ａ１０７が制御コマンドを受け付けたか否かを判断し、ＮＯの場合、つまり、ホームＡ１１３に接続されている機器Ａ１０７が制御コマンドを受け付けなかった場合は、リトライするか否かをホームＡ１１３に接続されている機器Ａ１０７に問い合わせ（ステップＳ１７４）させ、ＹＥＳの場合、つまり、リトライする場合は、ホームＡ１１３に接続されている機器Ａ１０７が制御コマンドを受け付けたか否かをもう一度判断（ステップＳ１７５）し、ＹＥＳの場合、つまり、ホームＡ１１３に接続されている機器Ａ１０７が制御コマンドを受け付けた場合は、ホームＡ１１３に接続されている機器Ａ１０７より機器情報管理装置１０５に指示受付を通知（ステップＳ１１７）を返信し、以降の処理は、上記と同様である。
【００９２】
また、上記ステップＳ１７４でリトライするか否かをホームＡ１１３に接続されている機器Ａ１０７に問い合わせさせ、ＮＯの場合、つまり、リトライしない場合か、又は、ホームＡ１１３に接続されている機器Ａ１０７が制御コマンドを受け付けたか否かをもう一度判断（ステップＳ１７５）し、ＮＯの場合、つまり、ホームＡ１１３に接続されている機器Ａ１０７が制御コマンドを受け付けなかった場合は、ホームＡ１１３に接続されている機器Ａ１０７への指示要求拒否を通知（ステップＳ１７７）を機器情報管理装置１０５にレスポンスを返し、接続許可（ステップＳ１１５）で確立したネットワーク１０４の通信回線を切断（ステップＳ１１８）して本フローチャートを終了ＥＮＤ（ステップＳ１７６）する。
【００９３】
また、図８ではホームＡ１１３内に接続されている機器Ａ１０７を用いて説明したが、ホームＡ１１３内に接続されている機器Ｂ１０８、機器Ｃ１０９、機器Ｄ１１０とネットワーク接続装置１１２でも機器Ａ１０７と同様な処理を行うこととする。
さらに、図示していないが、ホームＢ１１４，ホームＣ１１５，ホームＤ１１７，ホームＥ１１８，ホームＦ１１９，ホームＧ１２０に接続されている各々の機器の機器情報にリクエストがあった場合も同様な処理を行う。
【００９４】
以上、図８を用いて、図２の各機器間の通信シーケンスの▲６▼である機器情報管理装置１０５からホームＡ１１３に接続されている機器Ａ１０７へ機器への指示要求（Ｓ１１６）を受信し、機器情報管理装置１０５に指示受付を通知（Ｓ１１７）レスポンスを返すまでのホームＡ１１３に接続されている機器Ａ１０７での詳細なフローチャートについて説明してきたが、機器Ａ１０７内での詳細なフローチャートのプログラムを機器Ａ１０７で記憶媒体に記憶し、機器Ａ１０７より機器Ａ１０７での詳細なフローチャートのプログラムを再生させる構成でも実現できる。
【００９５】
第１のネットワークシステムでは、機器Ａ１０７で機器Ａ１０７内での詳細なフローチャートのプログラムを記憶又は再生する構成で説明したが、機器Ａ１０７に限らず、ホームＡ１１３内に接続されている機器Ｂ１０８、機器Ｃ１０９、機器Ｄ１１０、ネットワーク接続装置１１２やコンピュータなどの他の機器で記憶又は再生する構成で実現しても構わない。また、記憶媒体は、テープ、ＦＤ、ＣＤ、ＭＤ又はＤＶＤなど特に種類は問わない。
次に、図９を用いて、予約前の機器情報記憶装置１０６に蓄積するホームＡ１１３の機器接続データベースについて説明する。
【００９６】
図９は、予約前の機器情報記憶装置１０６に蓄積するホームＡ１１３の機器接続データベースを示す図である。
まず、ホームＡ１１３内に接続されている機器名称として機器Ａ１０７，機器Ｂ１０８，機器Ｃ１０９及び機器Ｄ１１０とネットワーク接続装置１１２を、また、上記の各機器の電源ＯＮ／ＯＦＦ状況と予約状況として、日付、チャネル番号、番組名、時間とユーザ名を機器情報管理装置１０５でデータベース化して機器情報記憶装置１０６に蓄積する。
【００９７】
第１のネットワークシステムでは、各機器の電源ＯＮ／ＯＦＦ状況と予約状況として、日付、チャネル番号、番組名、時間とユーザ名で構成するが、その他の情報を付加する構成でも構わないし、また、各機器の電源ＯＮ／ＯＦＦ状況と予約状況として、日付、チャネル番号、番組名、時間とユーザ名は必須の項目ではなく、この中の一部の情報で構成しても構わない。
【００９８】
さらに、図示していないが、ホームＢ１１４，ホームＣ１１５，ホームＤ１１７，ホームＥ１１８，ホームＦ１１９，ホームＧ１２０の機器接続データベースについても、ホームＡ１１３と同様に機器情報管理装置１０５でデータベース化して機器情報記憶装置１０６に蓄積する。
次に、図１０を用いて、機器情報記憶装置１０６に蓄積しているＥＰＧデータベースについて説明する。
【００９９】
図１０は、機器情報記憶装置１０６に蓄積しているＥＰＧデータベースを示す図である。
図１０に示すように、２０００年１０月３０日の日付を示す２０００／１０／３０、時刻を示す１８：００−２３：００、チャネル番号を示すＣＨ１−ＣＨ３と番組名を示す番組Ａ−番組Ｌから構成される。
【０１００】
第１のネットワークシステムでは、日付、時刻、チャネル番号と番組名でＥＰＧ情報を構成するが、その他の情報を付加する構成でも構わないし、また、日付、時刻、チャネル番号と番組名は必須の項目ではなく、この中の一部の情報で構成しても構わない。
次に、図１１を用いて、予約後の機器情報記憶装置１０６に蓄積するホームＡ１１３の機器接続データベースについて説明する。
【０１０１】
図１１は、予約後の機器情報記憶装置１０６に蓄積するホームＡ１１３の機器接続データベースを示す図である。図９では、予約前の機器情報記憶装置１０６に蓄積するホームＡ１１３の機器接続データベースについて説明しているので、携帯端末１００からの機器への指示要求（Ｓ１１２）後の機器接続データベースとの差異について説明する。
【０１０２】
第１のネットワークシステムでは、機器Ａ１０７を放送波受信機とし、機器Ｂ１０８をビデオテープレコーダ（以下、ＶＴＲという）として説明するが、その他の機器の構成でも構わない。
まず、図１０で説明した機器情報記憶装置１０６に蓄積しているＥＰＧデータベースを、ユーザＡが携帯端末１００で受信後、ＥＰＧデータベースからユーザＡが希望する番組を選択し、次に、希望する番組を記録するために必要な機器を選択し、必要な機器の予約を行う。
【０１０３】
これにより、２０００年１０月３０日のＣＨ１で２０：００−２２：００に放送される番組ＣをユーザＡが機器Ａ１０７である放送波受信機と機器Ｂ１０８であるＶＴＲを予約した後の機器情報記憶装置１０６に蓄積したホームＡ１１３の機器接続データベースは、図１１で示される。
【０１０４】
図１１に示すように、ホームＡ１１３の機器接続データベースを機器Ａ１０７である放送波受信機と機器Ｂ１０８であるＶＴＲに対して、電源ＯＦＦの状態から電源ＯＮ状態にし、予約状況を示す日付を２０００／１０／３０、チャネル番号をＣＨ１、番組名を番組Ｃ、時間を２０：００−２２：００とユーザ名をユーザＡから構成される番組予約情報を予約前と変更して、機器情報管理装置１０５を経て機器情報記憶装置１０６に記憶させる。
【０１０５】
図１１では、機器Ａ１０７と機器Ｂ１０８の電源ＯＮ／ＯＦＦの状態が電源ＯＮの状態として示してあるが、予約した開始時間である２０００年１０月３０日の２０：００の３０秒前や１分前等の任意の時刻に電源ＯＮの状態にする制御コマンドを機器情報管理装置１０５から機器Ａ１０７と機器Ｂ１０８に送信することで電源ＯＮの状態にする方法でも構わない。
【０１０６】
さらに、図示していないが、ホームＢ１１４，ホームＣ１１５，ホームＤ１１７，ホームＥ１１８，ホームＦ１１９，ホームＧ１２０の機器接続データベースについても、ホームＡ１１３と同様に、予約があった場合は、機器情報管理装置１０５でデータベース化した番組予約情報を予約前と変更して、機器情報記憶装置１０６に蓄積する。
次に、図１２を用いて、機器情報記憶装置１０６に蓄積するグループａ１１６とグループｂ１２１の機器接続データベースについて説明する。
【０１０７】
図１２は、機器情報記憶装置１０６に蓄積するグループａ１１６とグループｂ１２１の機器接続データベースを示す図である。図９では、予約前の機器情報記憶装置１０６に蓄積するホームＡ１１３の機器接続データベースについて説明しているので、図９との差異について説明する。
【０１０８】
前記図１で説明したように、グループａ１１６として、ホームＡ１１３，ホームＢ１１４とホームＣ１１５を１つのグループとして機器情報管理装置１０５が管理し、同様に、ホームＡ１１３，ホームＢ１１４とホームＣ１１５には、機器Ａ１０７，機器Ｂ１０８，機器Ｃ１０９及び機器Ｄ１１０とネットワーク接続装置１１２の各々の機器について、各々の機器の電源ＯＮ／ＯＦＦ状況と予約状況として、日付、チャネル番号、番組名、時間とユーザ名をデータベース化して機器情報記憶装置１０６に蓄積する。
【０１０９】
第１のネットワークシステムでは、各々の機器の電源ＯＮ／ＯＦＦ状況と予約状況として、日付、チャネル番号、番組名、時間とユーザ名で説明したが、この情報に限ったことではなく、これ以外の情報を付加しても構わないし、この情報の一部の情報で各ホームの機器接続データベースを構成しても構わない。
【０１１０】
同様に、グループｂ１２１として、ホームＤ１１７，ホームＥ１１８，ホームＦ１１９、ホームＧ１２０を１つのグループとして機器情報管理装置１０５が管理し、図１で説明したように、ホームＤ１１７，ホームＥ１１８，ホームＦ１１９、ホームＧ１２０には、機器Ａ１０７，機器Ｂ１０８，機器Ｃ１０９及び機器Ｄ１１０とネットワーク接続装置１１２の各々の機器について、各々の機器の電源ＯＮ／ＯＦＦ状況と予約状況として、日付、チャネル番号、番組名、時間とユーザ名を図示したようにデータベース化して機器情報記憶装置１０６に蓄積する。
【０１１１】
第１のネットワークシステムでは、各々の機器の電源ＯＮ／ＯＦＦ状況と予約状況として、日付、チャネル番号、番組名、時間とユーザ名で説明したが、この情報に限ったことではなく、これ以外の情報を付加しても構わないし、この情報の一部の情報で各ホームの機器接続データベースを構成しても構わない。
【０１１２】
さらに、第１のネットワークシステムでは、グループａ１１６として、ホームＡ１１３，ホームＢ１１４とホームＣ１１５を、また、グループｂ１２１として、ホームＤ１１７，ホームＥ１１８，ホームＦ１１９，ホームＧ１２０を、グループ化して説明したが、これ以外のホームの組み合わせによるグループ化を１つの管理する単位として、機器接続データベースを機器情報記憶装置１０６に蓄積する構成でも構わない。
【０１１３】
具体的には、グループａ１１６を３親等以内の親戚を単位とするグループとすると、図６で説明したように番組を録画する際に、ホームＡ１１３に接続されている必要な全て、あるいはいずれかの機器が他のユーザによって予約されている場合は、代替となる放送受信機又は記録機器などの代替案をユーザに提示（ステップＳ１５７）するが、ホームＡ１１３内に接続されている機器に代替となる機器が無い場合に、次に、グループａ１１６内に登録されているホームＢ１０８とホームＣ１０９内接続されている機器に代替となる機器が無いかどうかを機器情報管理装置１０５が検索し、検索した結果、ホームＢ１１４に代替となる機器があった場合に代替案としてホームＢ１１４の機器を携帯端末１００に示すことが可能になるため、代替案のバリエーションが増える。
ここでは、グループａ１１６を３親等以内の親戚としたが、各ホーム間で合意が取れたグループを機器情報管理装置１０５が管理することも可能であり、この場合は、さらに、代替案のバリエーションが増えることになる。
【０１１４】
この場合は、機器情報管理装置１０５がグループ化する単位を適宜変更、修正又は追加して、機器情報記憶装置１０６に蓄積すればよいし、機器情報管理装置１０５がグループ化する単位を複数作り、ユーザのニーズに合わせて機器情報記憶装置１０６から呼び出せばよい。
さらに、グループｂ１２１に管理されているホームＤ１１７，ホームＥ１１８，ホームＦ１１９，ホームＧ１２０についても、上記に示したように、グループａ１１６と同様な代替案をユーザに示すことも可能になる。
【０１１５】
図１３は、携帯端末１００に表示する機器接続例１を説明する図である。図９では、機器情報記憶装置１０６に蓄積するホームＡ１１３の機器接続データベースについて説明したが、図１３では、携帯端末１００の小さいディスプレイに表示させるために、機器情報管理装置１０５から携帯端末１００に送信する前に、機器情報記憶装置１０６に蓄積した機器接続データベースの画面情報を分割し、携帯端末１００用に再構築して、携帯端末１００に送信する。
【０１１６】
まず、１画面目は、ホームを示すホームＡ、日付を示す２０００／１０／３０、機器名称を示す機器Ａ、機器Ｂと機器Ｃ、電源ＯＮ／ＯＦＦ状況を示すＯＮ又はＯＦＦと機種を示すＢＳかＣＳを機器Ａ、機器Ｂと機器Ｃについて表示させ、次に、２画面目は、ホームを示すホームＡ、日付を示す２０００／１０／３０、機器名称を示す機器Ｄとネットワーク接続装置、電源ＯＮ／ＯＦＦ状況を示すＯＮ又はＯＦＦと機種を機器Ｄとネットワーク接続装置について表示させる。
また、１画面目には次ページがあることを示す、次へのアイコン表示を付加し、２画面目には前ページがあることを示す、前へのアイコン表示を付加する。
【０１１７】
第１のネットワークシステムでは、上述したような携帯端末１００での画面表示の構成としたが、これ以外の情報を付加する画面表示の構成でも構わないし、上記で説明した一部の情報で携帯端末１００での画面表示の構成としても構わない。
さらに、図示していないが、ホームＢ１１４，ホームＣ１１５，ホームＤ１１７，ホームＥ１１８，ホームＦ１１９，ホームＧ１２０についても同様な画面構成として、機器情報管理装置１０５から携帯端末１００に送信する前に、機器情報記憶装置１０６に蓄積した機器接続データベースの画面情報を分割し、携帯端末１００用に再構築して、携帯端末１００に送信する。
【０１１８】
図１４は、携帯端末１００に表示する機器接続例２を説明する図である。図１３と同様に、図９では機器情報記憶装置１０６に蓄積するホームＡ１１３の機器接続データベースについて説明したが、図１４では携帯端末１００の小さいディスプレイに表示させるために、機器情報管理装置１０５から携帯端末１００に送信する前に、機器情報記憶装置１０６に蓄積した機器接続データベースの画面情報を分割し、携帯端末１００用に再構築して、携帯端末１００に送信する。
【０１１９】
まず、１画面目は、ホームを示すホームＡ、日付を示す２０００／１０／３０、機器名称を示す機器Ａ／機器Ｂ／機器Ｃとチャネル番号、番組名と時間から構成する予約状況を３つの機器について表示させ、次に、２画面目は、ホームを示すホームＡ、日付を示す２０００／１０／３０、機器名称を示す機器Ｄとネットワーク接続装置、チャネル番号、番組名と時間から構成する予約状況を機器Ｄとネットワーク接続装置について表示させる。
さらに、図１３と同様に、また、１画面目には次ページがあることを示す、次へのアイコン表示を付加し、２画面目には前ページがあることを示す、前へのアイコン表示を付加する。
【０１２０】
第１のネットワークシステムでは、上記で説明したような携帯端末１００での画面表示の構成としたが、これ以外の情報を付加する画面表示の構成でも構わないし、上記で説明した一部の情報で携帯端末１００での画面表示の構成としても構わない。
さらに、図示していないが、ホームＢ１１４，ホームＣ１１５，ホームＤ１１７，ホームＥ１１８，ホームＦ１１９，ホームＧ１２０についても同様な画面構成として、機器情報管理装置１０５から携帯端末１００に送信する前に、機器情報記憶装置１０６に蓄積した機器接続データベースの画面情報を分割し、携帯端末１００用に再構築して、携帯端末１００に送信する。
【０１２１】
図１５は、携帯端末１００に表示するＥＰＧについて説明する図である。図１０では、機器情報記憶装置１０６に蓄積しているＥＰＧデータベースについて説明したが、図１５では、携帯端末１００の小さいディスプレイに表示させるために、機器情報管理装置１０５から携帯端末１００に送信する前に、機器情報記憶装置１０６に蓄積したＥＰＧデータベースの画面情報を分割し、携帯端末１００用に再構築して、携帯端末１００に送信する。
【０１２２】
まず、１画面目は、日付を示す２０００／１０／３０、時刻を示す１８：００から２０：００まで、チャネル番号を示すＣＨ１からＣＨ３まで、番組名を示す番組Ａ、Ｂ、Ｅ、ＩとＪについて表示させ、次に、２画面目は、日付を示す２０００／１０／３０、時刻を示す２０：００から２２：００まで、チャネル番号を示すＣＨ１からＣＨ３まで、番組名を示す番組Ｃ、Ｆ、ＧとＫについて表示させ、最後に、３画面目は、日付を示す２０００／１０／３０、時刻を示す２２：００から２３：００まで、チャネル番号を示すＣＨ１からＣＨ３まで、番組名を示す番組Ｄ、ＨとＬについて表示させる。
【０１２３】
また、１画面目、２画面目と３画面目には各々次ページがあることを示す次へのアイコン表示と各々前ページがあることを示す前へのアイコン表示を付加する。各々次ページがあることを示す次へのアイコン表示と各々前ページがあることを示す前へのアイコン表示を付加することで、前後の画面への移行がスムーズに行うことができ、ユーザの使い勝手が良くなる。
【０１２４】
第１のネットワークシステムでは、上記で説明したような携帯端末１００での画面表示の構成としたが、これ以外の情報を付加する画面表示の構成でも構わないし、上記で説明した一部の情報で携帯端末１００での画面表示の構成としても構わない。
【０１２５】
図１６は、携帯端末１００に表示する予約後の機器接続について説明する図である。図１４で携帯端末１００に表示する機器接続例２について説明したが、携帯端末１００で番組予約した後の差異について説明する。
【０１２６】
図１６では、まず、１画面目は、ホームを示すホームＡ、日付を示す２０００／１０／３０、機器名称を示す機器Ａ、機器Ｂと機器Ｃとチャネル番号、番組名と時間から構成する予約状況から構成するが、２０００年１０月３０日の２０：００−２２：００にＣＨ１で放送される番組Ｃを機器Ａと機器Ｂを使用して番組予約した場合について示してあり、予約した番組を示すために、機器名称の機器Ａにチャネル番号としてＣＨ１、番組名として番組Ｃと時間として２０：００−２２：００を表示させ、同様に、機器名称の機器Ｂにチャネル番号としてＣＨ１、番組名として番組Ｃと時間として２０：００−２２：００を色付きで表示させる。
また、表示画面の最下位部分に『この予約で送信しても宜しいですか。？』のメッセージと送信のアイコンを表示させている。
【０１２７】
次に、２画面目は、ホームを示すホームＡ、日付を示す２０００／１０／３０、機器名称を示す機器Ｄとネットワーク接続装置とチャネル番号、番組名と時間から構成する予約状況から構成する。
第１のネットワークシステムでは、図１６で表示している機器に予約をしていないため、２画面目が図１４と同一の画面となっているが、予約が入っている場合は、図１６の１画面目と同様に機器名称、チャネル番号、番組名と時間を表示させ、予約した機器を色付きにし、また、表示画面の最下位部分に『この予約で送信しても宜しいですか。？』のメッセージと送信のアイコンを表示させる。
【０１２８】
第１のネットワークシステムでは、上記で説明したような携帯端末１００での画面表示の構成としたが、これ以外の情報を付加する画面表示の構成でも構わないし、上記で説明した一部の情報で携帯端末１００での画面表示の構成としても構わない。
【０１２９】
以上述べたように、第１のネットワークシステムは、ホームネットワーク１１１に接続された機器Ａ１０７，機器Ｂ１０８，機器Ｃ１０９及び機器Ｄ１１０を携帯端末１００，１０２で制御するネットワークシステムであり、制御可能な一つ以上の機器が接続されたホームネットワーク１１１と、ホームネットワーク１１１に接続されかつ公開されたネットワーク１０４に接続されたネットワーク接続装置１１２と、ネットワーク１０４に接続され、ホームネットワーク１１１に接続された機器Ａ１０７，機器Ｂ１０８，機器Ｃ１０９及び機器Ｄ１１０の情報を管理するための機器情報管理装置１０５と、機器Ａ１０７，機器Ｂ１０８，機器Ｃ１０９及び機器Ｄ１１０の機器情報を記憶するための機器情報記憶装置１０６とを備えて構成したので、ホームネットワーク１１１に接続された機器Ａ１０７，機器Ｂ１０８，機器Ｃ１０９及び機器Ｄ１１０の機器情報を、予め機器情報管理１０５に送信しておくことができるため、ネットワーク１０４のトラフィックを低減することが可能になり、ネットワーク１１１に接続された機器Ａ１０７，機器Ｂ１０８，機器Ｃ１０９及び機器Ｄ１１０の管理が容易になる。すなわち、従来例では、機器の予約状況や使用状況又は記録可能な時間を常に把握することができないため、携帯端末からの予約要求があった場合に、機器の予約状況や使用状況又は記録可能な時間をその都度調べる必要があるため、移動体通信網又は公衆電話網のトラフィックが多くなり、また、各家庭毎の各機器の状態又は機器情報を常に把握することができなかったが、本実施の形態によれば家庭内のネットワーク１０４とは異なるネットワーク１１１のトラフィックを低減することができる。
【０１３０】
第２の実施の形態
図１７は、本発明の第２の実施の形態のネットワークシステムの構成を示す図である。本実施の形態の説明にあたり図１と同一構成部分には同一符号を付して重複部分の説明を省略する。
【０１３１】
図１７において、第２の実施の形態のネットワークシステム（以下、第２のネットワークシステムという）は、ホームネットワーク１１１に接続された機器Ａ１０７，機器Ｂ１０８，機器Ｃ１０９及び機器Ｄ１１０を携帯端末１００，１０２で制御するネットワークシステムであり、制御可能な一つ以上の機器が接続されたホームネットワーク１１１と、ホームネットワーク１１１に接続されかつ公開されたネットワーク１０４に接続されたネットワーク接続装置１１２と、ネットワーク１０４に接続され、携帯端末１００又は携帯端末１０２を使用して、複数のユーザからの各種アクセス履歴を管理するための履歴情報管理装置１２２（履歴情報管理手段）と、履歴情報管理装置１２２に接続され、複数のユーザからの各種アクセス履歴情報を記憶するための履歴情報記憶装置１２３（履歴情報記憶手段）とを備えて構成される。
【０１３２】
携帯端末１００、携帯端末１０２又は任意の携帯端末から履歴情報管理装置１２２にアクセスのあった番組予約から、以下に説明するようにアクセス履歴情報のデータベースを構築し、履歴情報記憶装置１２３に蓄積することで、履歴情報管理装置１２２又は履歴情報記憶装置１２３の管理者又は管理者が承認した第三者がユーザ嗜好を把握することが可能になるため、よりよい番組提供ができるようになる。
【０１３３】
図１８は、履歴情報記憶装置１２３に蓄積するアクセス履歴情報のデータベースの例１を示す図である。
図１８では、２０００年１０月３０日の日付を示す２０００／１０／３０に、２０：００−２１：００のアクセスランキング１位と２０：００−２１：００のアクセスランキング２位について、複数のユーザが、携帯端末１００又は携帯端末１０２から番組予約を行ったアクセス履歴より構築したアクセス履歴情報のデータベースの一例である。
【０１３４】
図１８に示すように、携帯端末１００又は携帯端末１０２を使用しているため、携帯端末１００又は携帯端末１０２の利用者を特定することができ、特定の日時に行った番組予約を特定することが可能になる。
図１８では、男女の性別、１０歳刻みの年齢別に視聴した番組の１位と２位をランキング化したデータベースを示している。また、番組予約は、チャネル番号と番組名から構成し、ランキング付けを行う。ここでは図示しないが、ランキング３位以降の視聴番組をランキングすることも可能であるし、この日時以外の視聴番組をランキングすることも可能である。
図１８では、チャネル番号と番組名から構成したアクセス履歴情報のデータベースとしたが、この他の情報を付加する構成でも構わないし、図示した情報のうち一部の情報から構成しても構わない。
【０１３５】
図１９は、履歴情報記憶装置１２３に蓄積するアクセス履歴情報のデータベースの例２を示す図である。図１９では、２０００年１０月３０日の日付を示す２０００／１０／３０に、２０：００−２１：００のアクセスランキング１位と２０：００−２１：００のアクセスランキング２位について、複数のユーザが、携帯端末１００又は携帯端末１０２から番組予約を行ったアクセス履歴より、地域別に構築したアクセス履歴情報のデータベースの一例である。
【０１３６】
図１９に示すように、携帯端末１００又は携帯端末１０２を使用しているため、携帯端末１００又は携帯端末１０２の利用者を特定することができ、特定の日時に行った番組予約を特定することが可能になる。
図１９では、地域を北海道地区とし、男女の性別、１０歳刻みの年齢別に視聴した番組の１位と２位をランキング化したデータベースである。また、番組予約は、チャネル番号と番組名から構成し、ランキング付けを行う。ここでは図示しないが、ランキング３位以降の視聴番組をランキングすることも可能であるし、この日時以外の視聴番組をランキングすることも可能である。
チャネル番号と番組名から構成したアクセス履歴情報のデータベースとしたが、この他の情報を付加する構成でも構わないし、図示した情報のうち一部の情報から構成しても構わない。
【０１３７】
図２０は、履歴情報記憶装置１２３に蓄積するアクセス履歴情報のデータベースの例２を示す図である。
図２０では、２０００年１０月３０日の日付を示す２０００／１０／３０に、２０：００−２１：００のアクセスランキング１位について、複数のユーザが、携帯端末１００から番組予約を行ったアクセス履歴より、地域別に構築したアクセス履歴情報のデータベースの一例である。
図２０に示すように、携帯端末１００又は携帯端末１０２を使用しているため、携帯端末１００又は携帯端末１０２の利用者を特定することができ、特定の日時に行った番組予約を特定することが可能になる。
【０１３８】
図２０では、地域を青森地区とし、男女の性別、１０歳刻みの年齢別に視聴した番組の１位をランキング化したデータベースである。また、視聴した番組は、チャネル番号と番組名から構成し、ランキング付けを行う。ここでは図示しないが、ランキング２位以降の視聴番組をランキングすることも可能であるし、この日時以外の視聴番組をランキングすることも可能である。
図２０では、チャネル番号と番組名から構成したアクセス履歴情報のデータベースとしたが、この他の情報を付加する構成でも構わないし、図示した情報のうち一部の情報から構成しても構わない。
【０１３９】
図２１は、履歴情報記憶装置１２３に蓄積するアクセス履歴情報のデータベースの例３を示す図である。
図２１では、ジャンル別にデータベースを再構築するもので、２０００年１０月度の月度を示す２０００／１０とスポーツ番組のアクセスランキング１位について、複数のユーザが、携帯端末１００からスポーツ番組予約を行ったアクセス履歴より、スポーツジャンルについて構築したアクセス履歴情報のデータベースの一例である。
【０１４０】
図２１に示すように、携帯端末１００又は携帯端末１０２を使用しているため、携帯端末１００又は携帯端末１０２の利用者を特定することができ、特定の日時に行った番組予約を特定することが可能になる。
図２１では、ジャンルをスポーツとし、男女の性別、１０歳刻みの年齢別に視聴した番組の１位をランキング化したデータベースである。また、ランキングは、男女の性別、１０歳刻みの年齢別に視聴した番組は、日付、時間、チャネル番号と番組名から構成し、ランキング付けを行う。ここでは図示しないが、ランキング２位以降の視聴番組をランキングすることも可能であるし、スポーツジャンル以外の視聴番組をランキングすることも可能である。
【０１４１】
図２１では、男女の性別、１０歳刻みの年齢別に視聴した番組は、日付、時間、チャネル番号と番組名から構成したアクセス履歴情報のデータベースとしたが、この他の情報を付加する構成でも構わないし、図示した情報のうち一部の情報から構成しても構わない。
【０１４２】
図２２は、履歴情報記憶装置１２３に蓄積するアクセス履歴情報のデータベースの例３を示す図である。
図２２では、ジャンル別にデータベースを再構築するもので、２０００年１０月度の月度を示す２０００／１０とニュース番組のアクセスランキング１位について、複数のユーザが、携帯端末１００からニュース番組予約を行ったアクセス履歴より、ニュースジャンルについて構築したアクセス履歴情報のデータベースの一例である。
【０１４３】
図２２に示すように、携帯端末１００又は携帯端末１０２を使用しているため、携帯端末１００又は携帯端末１０２の利用者を特定することができ、特定の日時に行った番組予約を特定することが可能になる。
図２２では、ジャンルをニュースとし、男女の性別、１０歳刻みの年齢別に視聴した番組の１位をランキング化したデータベースである。また、ランキングは、男女の性別、１０歳刻みの年齢別に視聴した番組は、日付と時間から構成し、ランキング付けを行う。ここでは図示しないが、ランキング２位以降の視聴番組をランキングすることも可能であるし、ニュースジャンル以外の視聴番組をランキングすることも可能である。
【０１４４】
図２２では、男女の性別、１０歳刻みの年齢別に視聴した番組は、日付と時間から構成したアクセス履歴情報のデータベースとしたが、この他の情報を付加する構成でも構わないし、図示した情報のうち一部の情報から構成しても構わない。
【０１４５】
図１７乃至図２２を用いて、第２のネットワークシステムについて説明してきたように、ネットワーク１０４に複数のユーザからの各種アクセス履歴を管理するための履歴情報管理装置１２２と、複数のユーザからの各種アクセス履歴情報を記憶するための履歴情報記憶装置１２３を、さらに、携帯端末１００又は携帯端末１０２を備えることでユーザからの番組予約のアクセス履歴を管理又は記憶することが可能になる。
【０１４６】
ユーザからの番組予約のアクセス履歴の利用方法としては、図１８では、ある特定の日時におけるユーザからの番組予約をアクセスランキングとしてデータベース化して履歴情報記憶装置１２３に記憶することができ、図１９では、地域別として北海道地区のある特定の日時におけるユーザからの番組予約をアクセスランキングとしてデータベース化して履歴情報記憶装置１２３に記憶することができ、図２０では、地域別として青森地区のある特定の日時におけるユーザからの番組予約をアクセスランキングとしてデータベース化して履歴情報記憶装置１２３に記憶することができる。
図１９及び図２０では、北海道地区と青森地区で説明したが、日本のその他の都道府県で分類することも可能であり、東北、関東、北陸、中部や近畿などその他の地区で分類することも可能である。
【０１４７】
図２１では、ジャンル別としてスポーツ番組のある特定の月度におけるユーザからの番組予約をアクセスランキングとしてデータベース化して履歴情報記憶装置１２３に記憶することができ、図２２では、ジャンル別としてニュース番組のある特定の月度におけるユーザからの番組予約をアクセスランキングとしてデータベース化して履歴情報記憶装置１２３に記憶することができる。
図２１及び図２２では、スポーツジャンルとニュースジャンルで説明したが、ドラマや映画などでその他で分類することも可能である。
【０１４８】
第２のネットワークシステムでは、図１８乃至図２２のデータベースとして説明したが、ユーザからのアクセス履歴をその他の分類で履歴情報管理装置１２２でデータベース化し、履歴情報記憶装置１２３に記憶しても構わない。
以上説明してきたように、第２のネットワークシステムでは、ネットワーク１０４に接続され、携帯端末１００又は携帯端末１０２を使用して、複数のユーザからの各種アクセス履歴を管理するための履歴情報管理装置１２２と、履歴情報管理装置１２２に接続され、複数のユーザからの各種アクセス履歴情報を記憶するための履歴情報記憶装置１２３とを備え、携帯端末からのアクセス履歴の情報を管理し記憶する構成としたので、履歴情報管理装置１２２又は履歴情報記憶装置１２３の管理者又は管理者が承認した第三者が、ユーザからのアクセス履歴を有効利用する（例えばユーザ嗜好を把握する）ことが可能になる。
【０１４９】
なお、第２のネットワークシステムでは、携帯端末１００又は携帯端末１０２で説明したが、その他、任意の携帯端末からのアクセス履歴も履歴情報管理装置１２２で管理することができ、履歴情報記憶装置１２３で記憶することも可能である。
【０１５０】
第３の実施の形態
図２３は、本発明の第３の実施の形態のネットワークシステムの構成を示す図である。本実施の形態の説明にあたり図１と同一構成部分には同一符号を付して重複部分の説明を省略する。
【０１５１】
図２３において、第３の実施の形態のネットワークシステム（以下、第３のネットワークシステムという）は、ホームネットワーク１１１に接続された機器Ａ１０７，機器Ｂ１０８，機器Ｃ１０９及び機器Ｄ１１０を携帯端末１００，１０２で制御するネットワークシステムであり、制御可能な一つ以上の機器が接続されたホームネットワーク１１１と、ホームネットワーク１１１に接続されかつ公開されたネットワーク１０４に接続されたネットワーク接続装置１１２と、ネットワーク１０４に接続され、ホームＡ１１３に接続されている機器Ａ１０７，機器Ｂ１０８，機器Ｃ１０９及び機器Ｄ１１０とネットワーク接続装置１１２のバージョンアップが将来あった場合に、携帯端末１００又は１０２を経由して任意の機器のバージョンアップ情報をダウンロードする情報を管理するためのバージョンアップ情報管理装置１２４（バージョンアップ情報管理手段）と、バージョンアップ情報管理装置１２４に接続されており、任意の機器のバージョンアップ情報を記憶するためのバージョンアップ情報記憶装置１２５（バージョンアップ情報記憶手段）とを備えて構成される。
また、バージョンアップ情報管理装置１２４は、ホームＢ１１４，ホームＣ１１５，ホームＤ１１７，ホームＥ１１８，ホームＦ１１９，ホームＧ１２０に接続されている任意の機器についても同様な処理を行う。
【０１５２】
第３のネットワークシステムでは、チューナのバージョンアップ情報について説明するが、チューナのバージョンアップ情報に限定するものではないし、機器Ａ１０７，機器Ｂ１０８，機器Ｃ１０９及び機器Ｄ１１０とネットワーク接続装置１１２以外の機器のバージョンアップ情報やバージョンアップ情報以外の任意の機器情報を管理する装置でもよい。
図２４は、第３のネットワークシステムの機器間の通信シーケンスを示す図である。
【０１５３】
携帯端末１００とホームＡ１１３間のネットワーク１０４の通信回線を確立するために、携帯端末１００よりホームＡ１１３へ接続要求（Ｓ２００）のリクエストを出し、ホームＡ１１３より携帯端末１００へ接続許可（Ｓ２０１）のレスポンスを返すことで、携帯端末１００とホームＡ１１３間の通信回線が確立する。
【０１５４】
接続許可（Ｓ２０１）で確立された通信回線を用いて屋外にいるユーザが携帯端末１００より、基地局１０３を経てホームＡ１１３内に接続されている機器Ａ１０７の接続機器情報要求（Ｓ２０２）のリクエストをホームＡ１１３に出し、ホームＡ１１３より、上述したように予めホームＡ１１３内に接続されている機器Ａ１０７の機器名称、機種名とバージョン情報を、リクエストのあった携帯端末１００に要求情報通知（Ｓ２０３）のレスポンスを返した後、接続許可（Ｓ２０１）で確立した通信回線を切断（Ｓ２０４）する。
【０１５５】
ユーザは、携帯端末１００に送信された機器Ａ１０７の機器名称、機器の機種名とバージョン情報から構成される要求情報通知（Ｓ２０３）内容を携帯端末１００で確認する。ここでは、要求情報通知（Ｓ２０３）を機器名称、機種名とバージョン情報から構成したが、これ以外の情報を付加する構成でも構わないし、これらの一部の情報で構成しても構わない。
【０１５６】
次に、携帯端末１００とバージョンアップ情報管理装置１２４間のネットワーク１０４の通信回線を確立するために、携帯端末１００よりバージョンアップ情報管理装置１２４へ接続要求（Ｓ２０５）のリクエストを出し、バージョンアップ情報管理装置１２４より携帯端末１００へ接続許可（Ｓ２０６）のレスポンスを返すことで、携帯端末１００とバージョンアップ情報管理装置１２４間の通信回線が確立する。
【０１５７】
接続許可（Ｓ２０６）で確立された通信回線を用いて、屋外にいるユーザが携帯端末１００より、バージョンアップ情報管理装置１２４を経て、バージョンアップ情報記憶装置１２５に蓄積されているホームＡ１１３内の機器Ａ１０７のバージョンアップ情報要求（Ｓ２０７）のリクエストをバージョンアップ情報管理装置１２４に出し、バージョンアップ情報管理装置１２４より、上記で説明してきたように予めホームＡ１１３内に接続されている機器Ａ１０７の各機器の機器名称、機種名とバージョン情報を、リクエストのあった携帯端末１００に要求情報通知（Ｓ２０８）のレスポンスを返した後、接続許可（Ｓ２０６）で確立した通信回線を切断（Ｓ２０９）する。ここでは、要求情報通知（Ｓ２０８）を各機器の機器名称、機種名とバージョン情報から構成したが、これ以外の情報を付加する構成でも構わないし、一部の情報で構成しても構わない。
【０１５８】
次に、携帯端末１００を持ったユーザがホームＡ１１３に帰宅し、携帯端末１００より機器Ａ１０７に機器Ａ１０７のバージョンアップ情報送信（Ｓ２１０）することで、機器Ａ１０７のバージョンアップを図り、通信回線を切断（Ｓ２１１）する。こごては、ユーザがホームＡ１１３内の機器Ａ１０７のバージョンアップを希望する場合で説明したが、ホームＡ１１３内に接続された機器Ａ１０７に限らず，機器Ｂ１０８，機器Ｃ１０９及び機器Ｄ１１０とネットワーク接続装置１１２でも同様な処理を行う。
【０１５９】
また、機器のバージョンアップはホームＡ１１３内の機器に限らず、ホームＢ１１４，ホームＣ１１５，ホームＤ１１７，ホームＥ１１８，ホームＦ１１９，ホームＧ１２０内に接続された任意の機器でも同様な処理が可能である。
さらに、携帯端末１００で説明したが、携帯端末１０２でもよく、また、その他の任意の携帯端末を使用してもよい。
【０１６０】
以上、第３のネットワークシステムの機器間の通信シーケンスについて説明してきたが、各機器間の通信シーケンスのプログラムをバージョンアップ情報管理装置１２４で記憶媒体に記憶し、バージョンアップ情報管理装置１２４より各機器間の通信シーケンスのプログラムを再生させる構成でも実現できる。また、バージョンアップ情報管理装置１２４で各機器間の通信シーケンスのプログラムを記憶又は再生する構成で説明したが、バージョンアップ情報管理装置１２４に限らず、バージョンアップ情報記憶装置１２５やコンピュータなどの他の機器で記憶又は再生する構成で実現しても構わない。また、記憶媒体は、テープ、ＦＤ、ＣＤ、ＭＤ又はＤＶＤなど特に種類は問わない。
【０１６１】
図２５は、図２４の第３のネットワークシステムの機器間の通信シーケンスの(10)である携帯端末１００からホームＡ１１３へ接続機器情報要求（Ｓ２０２）を送信し、携帯端末１００に要求情報通知（Ｓ２３０）のレスポンスを返すまでのホームＡ１１３での詳細なフローチャートである。
【０１６２】
まず、本フローチャートはスタートＳＴＡＲＴ（ステップＳ２２０）から開始し、携帯端末１００からホームＡ１１３へ接続機器情報要求（ステップＳ２０２）を送信した後、ホームＡ１１３に接続している機器Ａ１０７に携帯端末１００がアクセスしようとした時のホームＡ１１３の認証がＯＫか否かを判断（ステップＳ２２１）し、ＹＥＳの場合、つまり、ホームＡ１１３の認証がＯＫの場合は、ホームＡ１１３内の機器Ａ１０７の各機器の機器名称、機種名とバージョン情報から構成する接続機器情報の構築（ステップＳ２２４）を行い、上記ステップＳ２２４で構築した接続機器情報を携帯端末１００に要求情報通知（ステップＳ２０３）し、本フローチャートを終了ＥＮＤ（ステップＳ２２５）する。
【０１６３】
また、上記ステップＳ２２１で携帯端末１００からホームＡ１１３にアクセスしようとした時にホームＡ１１３の認証がＯＫか否かを判断し、ＮＯの場合、つまり、ホームＡ１１３の認証がＮＧの場合は、ホームＡ１１３にリトライするか否かを携帯端末１００に問い合わせ（ステップＳ２２２）させ、ＹＥＳの場合、つまり、ホームＡ１１３にリトライする場合は、ホームＡ１１３の認証がＯＫか否かをもう一度判断（ステップＳ２２３）し、ＹＥＳの場合、つまり、ホームＡ１１３の認証がＯＫの場合は、ホームＡ１１３内の機器Ａ１０７の各機器の機器名称、機種名とバージョン情報から構成する接続機器情報の構築（ステップＳ２２４）を行い、以降の処理は、上記と同様である。
【０１６４】
また、上記ステップＳ２２２でホームＡ１１３にリトライするか否かを携帯端末１００に問い合わせさせ、ＮＯの場合、つまり、ホームＡ１１３にリトライしない場合か、又は、ホームＡ１１３の認証がＯＫか否かをもう一度判断（ステップＳ２２３）し、ＮＯの場合、つまり、ホームＡ１１３の認証がＮＧの場合は、要求情報拒否を通知（ステップＳ２２３）を携帯端末１００にレスポンスを返し、本フローチャートを終了ＥＮＤ（ステップＳ２２５）する。
なお、第３のネットワークシステムでは、携帯端末１００で説明したが、携帯端末１０２でも良く、また、その他の任意の携帯端末を使用してもよい。
【０１６５】
また、ユーザが機器Ａ１０７のバージョンアップを希望する場合で説明するが、ホームＡ１１３内に接続された機器Ａ１０７に限らず，機器Ｂ１０８，機器Ｃ１０９及び機器Ｄ１１０とネットワーク接続装置１１２でも同様な処理を行うことが可能である。
さらに、接続機器情報要求はホームＡ１１３内の機器に限らず、ホームＢ１１４，ホームＣ１１５，ホームＤ１１７，ホームＥ１１８，ホームＦ１１９，ホームＧ１２０内に接続された任意の機器でも同様な処理を行うことが可能である。
【０１６６】
また、図２５を用いて、図２４の第３のネットワークシステムの機器間の通信シーケンスの(10)である携帯端末１００からホームＡ１１３へ接続機器情報要求（ステップＳ２０２）を送信し、携帯端末１００に要求情報通知（ステップＳ２３０）のレスポンスを返すまでのホームＡ１１３での詳細なフローチャートについて説明してきたが、ホームＡ１１３での詳細なフローチャートのプログラムをホームＡ１１３で記憶媒体に記憶し、ホームＡ１１３よりホームＡ１１３での詳細なフローチャートのプログラムを再生させる構成でも実現できる。
【０１６７】
なお、第３のネットワークシステムでは、ホームＡ１１３での詳細なフローチャートのプログラムを記憶又は再生する構成で説明したが、ホームＡ１１３に限らず、ホームＢ１１４，ホームＣ１１５，ホームＤ１１７，ホームＥ１１８，ホームＦ１１９，ホームＧ１２０やコンピュータなどの他の機器で記憶又は再生する構成で実現しても構わない。また、記憶媒体は、テープ、ＦＤ、ＣＤ、ＭＤ又はＤＶＤなど特に種類は問わない。
【０１６８】
図２６は、図２４の第３のネットワークシステムの機器間の通信シーケンスの(11)であるホームＡ１１３から携帯端末１００へ要求情報通知（Ｓ２０３）してからの携帯端末１００での詳細なフローチャートである。
まず、本フローチャートはスタートＳＴＡＲＴ（ステップＳ２２７）から開始し、ホームＡ１１３より、上記で説明してきたように予めホームＡ１１３内に接続されている機器Ａ１０７の機器名称、機種名とバージョン情報を、リクエストのあった携帯端末１００に要求情報通知（ステップＳ２０３）のレスポンスを返した後、通信回線を切断（ステップＳ２０４）する。
【０１６９】
携帯端末１００で、要求情報通知（ステップＳ２０３）を受信し、受信した要求情報通知（ステップＳ２０３）よりホームＡ１１３内に接続されている各機器の機器名称の確認（ステップＳ２２８）し、ホームＡ１１３内に接続されている各機器の機種名の確認（ステップＳ２２９）し、ホームＡ１１３内に接続されている各機器のバージョンの確認（ステップＳ２３０）し、ホームＡ１１３内に接続されている各機器の主な変更点の確認（ステップＳ２３１）し、ホームＡ１１３内に接続されている各機器の有料／無料の確認（ステップＳ２３２）し、ホームＡ１１３内に接続されている各機器の要求した情報の最終確認がＯＫか否かを判断（ステップＳ２３３）する。ホームＡ１１３内に接続されている各機器の要求した情報の最終確認がＯＫか否かを判断（ステップＳ２３３）した結果がＯＫの場合、つまり、ホームＡ１１３内に接続されている各機器の要求した情報の最終確認がＯＫの時はバージョンアップする機器の要求情報の構築（ステップＳ２３４）し、本フローチャートを終了ＥＮＤ（ステップＳ２３５）する。
【０１７０】
また、上記ステップＳ２３３でホームＡ１１３内に接続されている各機器の要求した情報の最終確認がＯＫか否かを判断した結果が、ＮＯの場合、つまり、ホームＡ１１３内に接続されている各機器の要求した情報の最終確認がＮＧの場合は、ホームＡ１１３内に接続されている各機器の機器名称の確認（ステップＳ２２８）に戻り、後は上記処理と同様である。
また、図示していないが、上記ステップＳ２２８、ステップＳ２２９、ステップＳ２３０とステップＳ２３１のいずれかの確認に間違いが生じた場合は、１つ前のステップに戻すことが可能である。
【０１７１】
第３のネットワークシステムでは、携帯端末１００で説明したが、携帯端末１０２でも良く、また、その他の任意の携帯端末を使用してもよい。
また、ユーザが機器Ａ１０７のバージョンアップを希望する場合で説明するが、ホームＡ１１３内に接続された機器Ａ１０７に限らず，機器Ｂ１０８，機器Ｃ１０９及び機器Ｄ１１０とネットワーク接続装置１１２でも同様な処理を行うことが可能である。
さらに、接続機器情報要求はホームＡ１１３内の機器に限らず、ホームＢ１１４，ホームＣ１１５，ホームＤ１１７，ホームＥ１１８，ホームＦ１１９，ホームＧ１２０内に接続された任意の機器でも同様な処理を行うことが可能である。
【０１７２】
また、図２６を用いて、図２４の第３のネットワークシステムの機器間の通信シーケンスの(11)であるホームＡ１１３から携帯端末１００へ要求情報通知（ステップＳ２０３）してからの携帯端末１００での詳細なフローチャートについて説明してきたが、携帯端末１００での詳細なフローチャートのプログラムを携帯端末１００で記憶媒体に記憶し、携帯端末１００より携帯端末１００での詳細なフローチャートのプログラムを再生させる構成でも実現できる。
【０１７３】
なお、第３のネットワークシステムでは、携帯端末１００での詳細なフローチャートのプログラムを記憶又は再生する構成で説明したが、携帯端末１００に限らず、携帯端末１０２やコンピュータなどの他の機器で記憶又は再生する構成で実現しても構わない。また、記憶媒体は、テープ、ＦＤ、ＣＤ、ＭＤ又はＤＶＤなど特に種類は問わない。
【０１７４】
図２７は、図２４の第３のネットワークシステムの機器間の通信シーケンスの(12)である携帯端末１００からバージョンアップ情報要求（ステップＳ２０７）をバージョンアップ情報管理装置１２４で受信してからのバージョンアップ情報管理装置１２４での詳細なフローチャートである。
【０１７５】
まず、本フローチャートはスタートＳＴＡＲＴ（ステップＳ２３６）から開始し、バージョンアップする機器の要求情報の構築（ステップＳ２３４）し、屋外にいるユーザが携帯端末１００より、バージョンアップ情報管理装置１２４を経て、バージョンアップ情報記憶装置１２５に蓄積されているホームＡ１１３内の機器Ａ１０７のバージョンアップ情報要求（ステップＳ２０７）のリクエストを出し、バージョンアップ情報管理装置１２４に要求のあったホームＡ１１３内の機器Ａ１０７の情報があるか否かを判断（ステップＳ２３７）し、ＹＥＳの場合、つまり、バージョンアップ情報管理装置１２４に要求のあったホームＡ１１３内の機器Ａ１０７の情報がある場合は、要求のあったホームＡ１１３内の機器Ａ１０７の要求情報の構築（ステップＳ２３８）を行い、バージョンアップ情報管理装置１２４より、上述したように予めホームＡ１１３内に接続されている機器Ａ１０７の機器名称、機種名とバージョン情報を、リクエストのあった携帯端末１００に要求情報通知（ステップＳ２０８）のレスポンスを返した後、通信回線を切断（ステップＳ２０９）し、本フローチャートを終了ＥＮＤ（ステップＳ２３９）する。
【０１７６】
バージョンアップ情報管理装置１２４に要求のあったホームＡ１１３内の機器Ａ１０７の情報があるか否かを判断（ステップＳ２３７）し、ＮＯの場合、つまり、バージョンアップ情報管理装置１２４に要求のあったホームＡ１１３内の機器Ａ１０７の情報がない場合は、ホームＡ１１３内の機器Ａ１０７の要求情報なしのメッセージを生成（ステップＳ２４０）し、以降の処理は、上記と同様である。
なお、第３のネットワークシステムでは、携帯端末１００で説明したが、携帯端末１０２でもよく、また、その他の任意の携帯端末を使用してもよい。
【０１７７】
また、ユーザが機器Ａ１０７のバージョンアップを希望する場合で説明するが、ホームＡ１１３内に接続された機器Ａ１０７に限らず，機器Ｂ１０８，機器Ｃ１０９及び機器Ｄ１１０とネットワーク接続装置１１２でも同様な処理を行う。さらに、接続機器情報要求はホームＡ１１３内の機器に限らず、ホームＢ１１４，ホームＣ１１５，ホームＤ１１７，ホームＥ１１８，ホームＦ１１９，ホームＧ１２０内に接続された任意の機器でも同様な処理を行う。
【０１７８】
また、図２７を用いて、図２４の第３のネットワークシステムの機器間の通信シーケンスの(12)である携帯端末１００からバージョンアップ情報要求（ステップＳ２０７）をバージョンアップ情報管理装置１２４で受信してからのバージョンアップ情報管理装置１２４での詳細なフローチャートについて説明してきたが、バージョンアップ情報管理装置１２４での詳細なフローチャートのプログラムをバージョンアップ情報管理装置１２４で記憶媒体に記憶し、バージョンアップ情報管理装置１２４よりバージョンアップ情報管理装置１２４での詳細なフローチャートのプログラムを再生させる構成でも実現できる。
【０１７９】
なお、第３のネットワークシステムでは、バージョンアップ情報管理装置１２４での詳細なフローチャートのプログラムを記憶又は再生する構成で説明したが、バージョンアップ情報管理装置１２４に限らず、バージョンアップ情報記憶装置１２５やコンピュータなどの他の機器で記憶又は再生する構成で実現しても構わない。また、記憶媒体は、テープ、ＦＤ、ＣＤ、ＭＤ又はＤＶＤなど特に種類は問わない。
次に、図２８を用いて、バージョンアップ情報記憶装置１２５に蓄積されているデータベースからチューナのバージョンアップ情報のサーチ方法について説明する。
【０１８０】
図２８は、バージョンアップ情報記憶装置１２５に蓄積されているデータベースからチューナのバージョンアップ情報のサーチ方法を示すフローチャートである。ここでは、機器Ａ１０７がチューナの場合で説明するが、特に機種は問わない。
【０１８１】
まず、本フローチャートはスタートＳＴＡＲＴ（ステップＳ２４１）から開始し、指定された社名をサーチし、指定された社名があるか否かを判断（ステップＳ２４２）し、ＹＥＳの場合は、指定された機器名をサーチし、指定された機器名があるか否かを判断（ステップＳ２４３）し、ＹＥＳの場合は、指定された機種名をサーチし、指定された機種名があるか否かを判断（ステップＳ２４４）し、ＹＥＳの場合は、指定されたバージョンをサーチし、指定されたバージョンがあるか否かを判断（ステップＳ２４５）し、ＹＥＳの場合は、確認アイコンを付加（ステップＳ２４６）し、要求のあった機器の要求情報の構築（ステップＳ２３８）を行い、本フローチャートを終了ＥＮＤ（ステップＳ２４７）する。
【０１８２】
また、上記ステップＳ２４２で指定された社名をサーチし、指定された社名があるか否かを判断し、指定された機器名をサーチし、指定された機器名があるか否かを判断（ステップＳ２４３）し、指定された機種名をサーチし、指定された機種名があるか否かを判断（ステップＳ２４４）し、指定されたバージョンをサーチし、指定されたバージョンがあるか否かを判断（ステップＳ２４５）し、このうち、いずれかがＮＯの場合は、要求情報なしのメッセージを生成（ステップＳ２４０）し、本フローチャートを終了ＥＮＤ（ステップＳ２４７）する。
【０１８３】
第３のネットワークシステムでは、チューナの場合で説明したが、社名、機器名、機種名をバージョンアップ情報記憶装置１２５に蓄積することも可能である。
また、ユーザが機器Ａ１０７のバージョンアップを希望する場合で説明したが、ホームＡ１１３内に接続された機器Ａ１０７に限らず，機器Ｂ１０８，機器Ｃ１０９及び機器Ｄ１１０とネットワーク接続装置１１２でも同様な処理を行うことが可能である。
【０１８４】
さらに、接続機器情報要求はホームＡ１１３内の機器に限らず、ホームＢ１１４，ホームＣ１１５，ホームＤ１１７，ホームＥ１１８，ホームＦ１１９，ホームＧ１２０内に接続された任意の機器でも同様な処理を行うことが可能である。また、図２８を用いて、バージョンアップ情報記憶装置１２５に蓄積されているデータベースからチューナのバージョンアップ情報のサーチ方法フローチャートについて説明してきたが、バージョンアップ情報記憶装置１２５での詳細なフローチャートのプログラムをバージョンアップ情報記憶装置１２５で記憶媒体に記憶し、バージョンアップ情報記憶装置１２５よりバージョンアップ情報記憶装置１２５での詳細なフローチャートのプログラムを再生させる構成でも実現できる。
【０１８５】
第３のネットワークシステムでは、バージョンアップ情報記憶装置１２５での詳細なフローチャートのプログラムを記憶又は再生する構成で説明したが、バージョンアップ情報記憶装置１２５に限らず、バージョンアップ情報管理装置１２４やコンピュータなどの他の機器で記憶又は再生する構成で実現しても構わない。また、記憶媒体は、テープ、ＦＤ、ＣＤ、ＭＤ又はＤＶＤなど特に種類は問わない。
【０１８６】
図２９は、バージョンアップ情報記憶装置１２５に蓄積するチューナのバージョンアップ情報のデータベースを示す図である。
第３のネットワークシステムでは、機器Ａ１０７がチューナの場合で説明するが、特に機種は問わない。
【０１８７】
図２９に示すように、社名としてＡ社とＢ社、チューナの種類としてＢＳ、ＣＳ、地上波とケーブル、機種名としてａ、ｂ、ｃ、ｄ、ｅ、ｆとｇバージョンとして「１．１」、「１．２」と「１．３」、主な変更点と有料／無料などから構成する。
【０１８８】
第３のネットワークシステムでは、社名、チューナの種類、機種名、バージョン、主な変更点と有料／無料から構成するが、これ以外の情報を付加する構成でも構わないし、これらのうち一部の情報で構成しても構わない。
また、ユーザがチューナである機器Ａ１０７のバージョンアップを希望する場合で説明したが、ホームＡ１１３内に接続された機器Ａ１０７に限らず，機器Ｂ１０８，機器Ｃ１０９及び機器Ｄ１１０とネットワーク接続装置１１２でも同様な処理を行うことが可能である。
【０１８９】
さらに、接続機器情報要求はホームＡ１１３内の機器に限らず、ホーム飢１４，ホームＣ１１５，ホームＤ１１７，ホームＥ１１８，ホームＦ１１９，ホームＧ１２０内に接続された任意の機器でも同様な処理を行うことが可能である。
図３０は、図２４のホームＡ１１３からの要求情報通知Ｓ２０３を受信後の携帯端末１００の表示例について説明する図である。
第３のネットワークシステムでは、機器Ａ１０７がチューナの場合で説明するが、特に機種は問わない。
【０１９０】
図３０に示すように、社名としてＡ社、チューナの種類としてＢＳ、機種名としてａとｂ、バージョンとして１．１と１．２から構成する。
また、１画面目と２画面目には各々次ページがあることを示す次へのアイコン表示と各々前ページがあることを示す前へのアイコン表示を付加する。また、各々次ページがあることを示す次へのアイコン表示と各々前ページがあることを示す前へのアイコン表示を付加することで、前後の画面への移行がスムーズに行うことができ、ユーザの使い勝手が良くなる。
【０１９１】
第３のネットワークシステムでは、社名、機器名、機種名、バージョン、メッセージと送信アイコンから構成するが、これ以外の情報を付加する構成でも構わないし、これらのうち一部の情報で構成しても構わない。
また、ユーザがチューナである機器Ａ１０７のバージョンアップを希望する場合で説明したが、ホームＡ１１３内に接続された機器Ａ１０７に限らず，機器Ｂ１０８，機器Ｃ１０９及び機器Ｄ１１０とネットワーク接続装置１１２でも同様な処理を行うことが可能である。
さらに、接続機器情報要求はホームＡ１１３内の機器に限らず、ホームＢ１１４，ホームＣ１１５，ホームＤ１１７，ホームＥ１１８，ホームＦ１１９，ホームＧ１２０内に接続された任意の機器でも同様な処理を行うことが可能である。
【０１９２】
図３１は、図２４のバージョンアップ情報送信Ｓ２１０の送信前の携帯端末１００の表示例について説明する図である。
図３１に示すように、機種名としてａ、現バージョンとして１．２と新バージョンとして１．３から構成する。
【０１９３】
第３のネットワークシステムでは、機種名、現バージョンと新バージョンから構成するが、これ以外の情報を付加する構成でも構わないし、一部の情報で構成しても構わない。
また、表示画面の最下位部分に『このバージョンで送信しても宜しいですか。？』のメッセージ、料金：無料と確認のアイコンを表示させている。
【０１９４】
上記では、機種名、現バージョン、新バージョン、メッセージ、料金と確認のアイコンから構成するが、これ以外の情報を付加する構成でも構わないし、これらのうち一部の情報で構成しても構わない。
また、上記の内容は、ホームＡ１１３内に接続された機器Ａ１０７に限らず，機器Ｂ１０８，機器Ｃ１０９及び機器Ｄ１１０とネットワーク接続装置１１２でも同様な処理を行うことが可能である。
さらに、接続機器情報要求はホームＡ１１３内の機器に限らず、ホームＢ１１４，ホームＣ１１５，ホームＤ１１７，ホームＥ１１８，ホームＦ１１９，ホームＧ１２０内に接続された任意の機器でも同様な処理を行うことが可能である。
【０１９５】
図２３乃至図３１を用いて、第３のネットワークシステムについて説明してきたように、ネットワーク１０４に任意の機器のバージョンアップ情報を携帯端末１００、携帯端末１０２あるいはその他の携帯端末でダウンロードする情報を管理するためのバージョンアップ情報管理装置１２４と、バージョンアップ情報管理装置１２４でデータベース化した任意の機器のバージョンアップ情報を記憶するためのバージョンアップ情報記憶装置１２５と、さらに、携帯端末１００又は携帯端末１０２を備えることでネットワークに接続された任意の機器に機能のバージョンアップがあった場合に、携帯端末１００、携帯端末１０２あるいはその他の携帯端末を経由して、ネットワークに接続されたホーム内の任意の機器に対して機能のバージョンアップを図ることが可能になるため、機器の陳腐化を防止することが可能になり、結果、機器の長寿命化を図ることができる。
【０１９６】
以上述べたように、第３のネットワークシステムは、ネットワーク１０４に接続され、ホームＡ１１３に接続されている機器Ａ１０７，機器Ｂ１０８，機器Ｃ１０９及び機器Ｄ１１０とネットワーク接続装置１１２のバージョンアップが将来あった場合に、携帯端末１００又は１０２を経由して任意の機器のバージョンアップ情報をダウンロードする情報を管理するためのバージョンアップ情報管理装置１２４と、バージョンアップ情報管理装置１２４に接続されており、任意の機器のバージョンアップ情報を記憶するためのバージョンアップ情報記憶装置１２５とを備えて構成したので、機器Ａ１０７，機器Ｂ１０８，機器Ｃ１０９及び機器Ｄ１１０に搭載されたプログラムのバージョン情報を管理することができ、ユーザはバージョンアップを容易に行うことが可能になる。これにより、屋外にいる携帯端末を持ったユーザに機器Ａ１０７，機器Ｂ１０８，機器Ｃ１０９及び機器Ｄ１１０に搭載されたプログラムのバージョン情報を知らせることができるため、機器の長寿命化を図ることが可能になる。
なお、上記各実施の形態に係るネットワークシステム及びその通信方法を、上述したようなホームネットワークの情報機器管理装置に適用することもできるが、勿論これには限定されず、ネットワークシステムであれば全ての装置に適用可能である。
【０１９７】
また、上記各実施の形態では、公開されたネットワークに接続される携帯端末を、無線端末及びＰＤＡ等の携帯情報端末に適用した例について述べたが、情報端末はどのようなものであってもよい。また、携帯情報端末やパーソナルコンピュータのデータ通信機能として組み込まれたものでもよい。
【０１９８】
また、ホームネットワークに接続される機器は、例えばデジタル放送の電波を受信可能なデジタル放送受信機能を備えたテレビジョン受信機や、ＤＶＤやＨＤＤ等の記録装置など全てに適用できる。さらに、ホームネットワークに接続される機器は、有線に限らず、Bluetoohのような汎用的な無線通信システムで接続される態様でもよい。
さらに、上記ネットワークシステムを構成する各回路部等の種類、記憶部に記憶されるデータの種類などは前述した実施形態に限られない。
【０１９９】
また、記録装置の種類や記録方法等は限定されず、全ての装置に適用可能である。例えば、記録装置として、ＶＴＲ（Video Tape Recorder）のほか、ＨＤＤやＤＶＤに記録するものでもよい。特に、データ転送速度やランダム・アクセス性能が高く、高速アクセスが可能なＨＤＤを記録媒体に用いれば、長時間記録した番組の中から所望の番組を瞬時に検索し、直ぐに利用することが可能になる。また、光磁気ディスク等ＨＤＤ以外の記録装置を用いてもよく、同様の効果を得ることができる。
【０２００】
以上説明したネットワークシステムは、このネットワークシステムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【０２０１】
ここで、上記プログラムメディアは、本体と分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０２０２】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【０２０３】
【発明の効果】
以上、詳述したように、本発明によれば、第１のネットワークに接続された第２のネットワークのトラフィックを低減することができ、第１のネットワークに接続された機器の管理が容易になるネットワークシステム、ネットワークシステムの通信方法を実現することができる。具体的には、以下のような効果を得ることができる。
【０２０４】
予め第１のネットワークに接続された制御可能な一つ以上の機器の機器情報を機器情報管理手段に送信することができるため、第１のネットワークに接続されかつ公開された第２のネットワークのトラフィックを低減することが可能になり、第１のネットワークに接続された制御可能な一つ以上の機器の管理が容易になる。
【０２０５】
また、機器情報記憶手段に制御可能な一つ以上の機器の接続状況を示すことができるため、屋外にいる携帯端末を持ったユーザが機器を遠隔操作する選択肢が増える。
また、複数のグループ化した制御可能な一つ以上の機器を複数のグループとして管理すると共に、グループ毎に管理された一つ以上の機器の接続状況を示すことができるため、屋外にいる携帯端末を持ったユーザが機器を遠隔操作する選択肢がさらに増え、ユーザの利便性が向上する。
【０２０６】
また、携帯端末からのアクセス履歴の情報を管理し、記憶することができるため、履歴情報管理装置又は履歴情報記憶装置の管理者がユーザ嗜好を把握することが可能になる。
また、アクセス履歴として利用者の個人情報を記憶することができるため、履歴情報管理装置又は履歴情報記憶装置の管理者がユーザ嗜好をより詳細に把握できる。
【０２０７】
また、制御可能な一つ以上の機器に搭載されたプログラムのバージョン情報を管理することができるため、ユーザはバージョンアップを容易に行うことが可能になる。
また、制御可能な一つ以上の機器に搭載されたプログラムのバージョン情報をグループ情報として記憶することができるため、ユーザの利便性が向上する。
【０２０８】
また、制御可能な一つ以上の機器に搭載されたプログラムのバージョン情報を機器の種別毎に記憶することができるため、さらに、ユーザの利便性が向上する。
また、第１のネットワークに接続された制御可能な一つ以上の機器の機器情報を屋外にいる携帯端末を持ったユーザが把握することができるため、ユーザの利便性が向上する。
【０２０９】
また、機器情報管理手段より第１のネットワークに接続された制御可能な一つ以上の機器への指示を要求することができるため、屋外にいる携帯端末を持ったユーザが機器を遠隔操作することができるため、さらに、ユーザの利便性が向上する。
さらに、屋外にいる携帯端末を持ったユーザに制御可能な一つ以上の機器に搭載されたプログラムのバージョン情報を知らせることができるため、機器の長寿命化を図ることが可能になる。
さらにまた、ネットワークシステムの通信方法を実現するプログラムを記憶した記憶媒体をユーザが持ち歩くことができるため、可搬性が向上する。
【図面の簡単な説明】
【図１】本発明の第１の実施の形態のネットワークシステムの構成を示す図である。
【図２】本実施の形態のネットワークシステムのネットワークに接続されている各機器間の通信シーケンスを示す図である。
【図３】本実施の形態のネットワークシステムの機器Ａ内での詳細なフローチャートである。
【図４】本実施の形態のネットワークシステムの機器情報管理装置での詳細なフローチャートである。
【図５】本実施の形態のネットワークシステムの機器情報管理装置での詳細なフローチャートである。
【図６】本実施の形態のネットワークシステムの携帯端末での詳細なフローチャートである。
【図７】本実施の形態のネットワークシステムの機器情報管理装置での詳細なフローチャートである。
【図８】本実施の形態のネットワークシステムの機器Ａでの詳細なフローチャートである。
【図９】本実施の形態のネットワークシステムの予約前の機器情報記憶装置に蓄積するホームＡの機器接続データベースを示す図である。
【図１０】本実施の形態のネットワークシステムの機器情報記憶装置に蓄積しているＥＰＧデータベースを示す図である。
【図１１】本実施の形態のネットワークシステムの予約後の機器情報記憶装置に蓄積するホームＡの機器接続データベースを示す図である。
【図１２】本実施の形態のネットワークシステムの機器情報記憶装置に蓄積するグループａとグループｂの機器接続データベースを示す図である。
【図１３】本実施の形態のネットワークシステムの携帯端末に表示する機器接続例１を説明する図である。
【図１４】本実施の形態のネットワークシステムの携帯端末に表示する機器接続例２を説明する図である。
【図１５】本実施の形態のネットワークシステムの携帯端末に表示するＥＰＧについて説明する図である。
【図１６】本実施の形態のネットワークシステムの携帯端末に表示する予約後の機器接続について説明する図である。
【図１７】本発明の第２の実施の形態のネットワークシステムの構成を示す図である。
【図１８】本実施の形態のネットワークシステム履歴情報記憶装置に蓄積するアクセス履歴情報のデータベースの例１を示す図である。
【図１９】本実施の形態のネットワークシステムの履歴情報記憶装置に蓄積するアクセス履歴情報のデータベースの例２を示す図である。
【図２０】本実施の形態のネットワークシステムの履歴情報記憶装置に蓄積するアクセス履歴情報のデータベースの例２を示す図である。
【図２１】本実施の形態のネットワークシステムの履歴情報記憶装置に蓄積するアクセス履歴情報のデータベースの例３を示す図である。
【図２２】本実施の形態のネットワークシステムの履歴情報記憶装置に蓄積するアクセス履歴情報のデータベースの例３を示す図である。
【図２３】本発明の第３の実施の形態のネットワークシステムの構成を示す図である。
【図２４】本実施の形態のネットワークシステムの機器間の通信シーケンスを示す図である。
【図２５】本実施の形態のネットワークシステムのホームＡでの詳細なフローチャートである。
【図２６】本実施の形態のネットワークシステムの携帯端末での詳細なフローチャートである。
【図２７】本実施の形態のネットワークシステムのバージョンアップ情報管理装置での詳細なフローチャートである。
【図２８】本実施の形態のネットワークシステムのバージョンアップ情報記憶装置に蓄積されているデータベースからチューナのバージョンアップ情報のサーチ方法を示すフローチャートである。
【図２９】本実施の形態のネットワークシステムのバージョンアップ情報記憶装置に蓄積するチューナのバージョンアップ情報のデータベースを示す図である。
【図３０】本実施の形態のネットワークシステムの端末端末の表示例について説明する図である。
【図３１】本実施の形態のネットワークシステムの携帯端末の表示例について説明する図である。
【図３２】従来の遠隔制御システムの構成を示す図である。
【符号の説明】
１  携帯端末
２  ＰＣ（パーソナルコンピュータ）
３  基地局
４  移動体通信網
５  公衆電話網
６，６−１，６−２，…，６−Ｎビデオ端末
７  ビデオ録画予約装置
１００  携帯端末
１０１，１０３  基地局
１０２  携帯端末
１０４  ネットワーク（第２のネットワーク）
１０５  機器情報管理装置（機器情報管理手段）
１０６  機器情報記憶装置（機器情報記憶手段）
１０７  機器Ａ
１０８  機器Ｂ
１０９  機器Ｃ
１１０  機器Ｄ
１１１  ホームネットワーク（第１のネットワーク）
１１２  ネットワーク接続装置（ネットワーク接続手段）
１１３  ホームＡ
１１４  ホームＢ
１１５  ホームＣ
１１６  グループａ
１１７  ホームＤ
１１８  ホームＥ
１１９  ホームＦ
１２０  ホームＧ
１２１  グループｂ
１２２  履歴情報管理装置（履歴情報管理手段）
１２３  履歴情報記憶装置（履歴情報記憶手段）
１２４  バージョンアップ情報管理装置（バージョンアップ情報管理手段）
１２５  バージョンアップ情報記憶装置（バージョンアップ情報記憶手段）
【図１】
0003789313.tif 000002
【図２】
0003789313.tif 000003
【図３】
0003789313.tif 000004
【図４】
0003789313.tif 000005
【図５】
0003789313.tif 000006
【図６】
0003789313.tif 000007
【図７】
0003789313.tif 000008
【図８】
0003789313.tif 000009
【図９】
0003789313.tif 000010
【図１０】
0003789313.tif 000011
【図１１】
0003789313.tif 000012
【図１２】
0003789313.tif 000013
【図１３】
0003789313.tif 000014
【図１４】
0003789313.tif 000015
【図１５】
0003789313.tif 000016
【図１６】
0003789313.tif 000017
【図１７】
0003789313.tif 000018
【図１８】
0003789313.tif 000019
【図１９】
0003789313.tif 000020
【図２０】
0003789313.tif 000021
【図２１】
0003789313.tif 000022
【図２２】
0003789313.tif 000023
【図２３】
0003789313.tif 000024
【図２４】
0003789313.tif 000025
【図２５】
0003789313.tif 000026
【図２６】
0003789313.tif 000027
【図２７】
0003789313.tif 000028
【図２８】
0003789313.tif 000029
【図２９】
0003789313.tif 000030
【図３０】
0003789313.tif 000031
【図３１】
0003789313.tif 000032
【図３２】
0003789313.tif 000033